(57)【要約】【課題】表面への流体（Ｐ）の塗布及び包装のうち少なくとも一方を行う器具の提供。【解決手段】この器具（10）は、複数個の粒子（22）及び流体に対して透過性がある部分（21）を備えた少なくとも１つの要素（20）を有し、この部分（21）は、複数個の粒子を保持するように構成された内部空間を少なくとも部分的に構成し、少なくとも１つの要素は、複数の粒子が少なくとも１種類の物質を有し、少なくとも１種類の物質が流体及び流体を受け入れる表面のうちの少なくとも一方と接触できるように構成され及び／又は少なくとも１つの要素が電界及び磁界のうちの少なくとも一方を形成しまた流体及び表面のうち少なくとも一方が少なくとも１種類の物質によって形成される電界又は磁界の作用を受けることができるように構成されている。【選択図】図１
2006341121.tif 000002
【特許請求の範囲】
【請求項１】
表面への流体の塗布及び（又は）包装のための器具であって、複数の粒子及び流体に対して透過性の部分を有する少なくとも１つの要素を有し、前記部分は、複数の粒子を保持するよう構成された内部空間を少なくとも部分的に構成し、前記少なくとも1つの要素は、該複数の粒子が少なくとも１種類の物質を有しまた前記少なくとも1種類の物質が流体及び流体を受け入れる表面の少なくとも一方と接触することができるように構成されると共に、（或いは）前記少なくとも１つの要素が電界及び磁界のうちの少なくとも一方を形成しまた流体及び表面のうちの少なくとも一方が前記少なくとも１種類の物質によって形成された電界及び磁界のうちの前記少なくとも一方を受けることができるように構成されることを特徴とする器具。
【請求項２】
前記要素は、焼結部品、セラミック、フェルト、スポンジ、フォーム、織布及び不織布のうちの少なくとも１つから成ることを特徴とする請求項１記載の器具。
【請求項３】
前記粒子のサイズは、０．１μｍ〜７ｍｍであることを特徴とする請求項１記載の器具。
【請求項４】
流体は、受け具内に入れられ、前記要素（３３；２４１；２４２；３９５）は、器具を使用するとき、受け具から取った流体が要素を通過するようにするよう構成されていることを特徴とする請求項１記載の器具。
【請求項５】
前記要素は、流体に対して透過性であって、前記粒子（６５）を保持するのに適したサッシェ（６０）の形態をした壁を有していることを特徴とする請求項１記載の器具。
【請求項６】
前記部分は、流体を皮膚、髪の毛又は指爪に塗布する際に用いられるのに適した表面を備えていることを特徴とする請求項１記載の器具。
【請求項７】
流体（Ｐ）、特に化粧品を包装すると共に（或いは）塗布する器具であって、少なくとも１種類の物質を収容すると共に（或いは）電解及び（又は）磁界を発生させるのに適した少なくとも１つの要素を有し、前記要素は、流体（Ｐ）及び（又は）流体を受け入れる表面が物質に接触するようにすることができると共に（或いは）前記流体及び（又は）前記表面が前記要素によって得られた電界及び磁界のうちの少なくとも一方に接触できるようにするよう構成されていることを特徴とする器具。
【請求項８】
少なくとも前記要素（２０；３３；４１；４６；５２；６０；７３；９３；１０６；１１４；１２０；１３４；１３５；１５４；１６０；１７３；１８５；１９１；２０４；２０９；２４２；２４１；２４５；２５６；２６６；２７４；２８３；３１１；３２２；３３４；３４１；３６２；３７０；３８１；３８３；３８７；３９３；３９５；４１３；４２４；５０１；５０４；５３１；５６４；５６６；５８５；６２０；６３０；６８０；６９０；７００；７１０；７３０；７４２；７５１；７７２；８０２；８０３；９００）が流体に接触する前に、前記要素内に固体状態で保持されていることを特徴とする請求項７記載の器具。
【請求項９】
要素は、前記物質を収容した細孔（８１０）を備えた多孔質材料から成ることを特徴とする請求項７又は８記載の器具。
【請求項１０】
要素は、多孔質材料から成り、前記物質は、前記材料の組成中へ入ることを特徴とする請求項７〜９のうち何れか一に記載の器具。
【請求項１１】
前記要素は、前記物質を収容した繊維（６３１；７３０；７４２；７５１）を有していることを特徴とする請求項７〜１０のうち何れか一に記載の器具。
【請求項１２】
前記要素は、焼結部品、セラミック、フェルト、スポンジ、フォーム、織布及び不織布のうちの少なくとも１つから成ることを特徴とする請求項７〜１１のうち何れか一に記載の器具。
【請求項１３】
焼結部品は、熱可塑性材料、熱硬化性材料、金属材料又はセラミック材料で作られていることを特徴とする請求項１２記載の器具。
【請求項１４】
フォームは、前記物質を含有した材料で作られていることを特徴とする請求項１２記載の器具。
【請求項１５】
フォームは、前記物質を含有した材料で含浸していることを特徴とする請求項１２記載の器具。
【請求項１６】
要素は、前記物質を含有したガラス化材料を有していることを特徴とする請求項７又は８記載の器具。
【請求項１７】
前記要素（９９１）を使用に先立って、流体（Ｐ）で含浸することを特徴とする請求項１６記載の器具。
【請求項１８】
要素は、粒子（２２；４６；５２；６５；７３；２４５；２５６；２６６；２７４；２８３；３１１；３４１；３９３；４２４；５０１；６３２；６８０；６９０；７００；７１０；７３２；８０２）を有していることを特徴とする請求項７〜１７のうち何れか一に記載の器具。
【請求項１９】
前記粒子のサイズは、０．１μｍ〜７ｍｍであることを特徴とする請求項１８記載の器具。
【請求項２０】
前記物質は、前記粒子の少なくとも一部に含まれていることを特徴とする請求項１８又は１９記載の器具。
【請求項２１】
要素は、少なくとも一部が前記物質で満たされた中空粒子（８２６）を有していることを特徴とする請求項２０記載の器具。
【請求項２２】
前記粒子（２２；４６；５２；６５；７３；２４５；２５６；２６６；２７４；２８３；３１１；３４１；３９３；４２４；５０１；６３２；６８０；６９０；７００；７１０；７３２；８０２）は、被覆状態の粒子であり、各粒子は、第１の材料で作られたコア及び第１の材料とは異なる第２の材料で作られた覆いから成り、前記覆いは、コアの周りに延びていることを特徴とする請求項１８〜２１のうち何れか一に記載の器具。
【請求項２３】
前記物質は、覆い（８３０）中に入れられていることを特徴とする請求項２２記載の器具。
【請求項２４】
前記物質は、覆いの表面のところに存在していることを特徴とする請求項２２記載の器具。
【請求項２５】
物質は、コア中に存在していることを特徴とする請求項２２記載の器具。
【請求項２６】
コア材料は、磁界及び（又は）電界を流体（Ｐ）に及ぼすよう選択されていることを特徴とする請求項２５記載の器具。
【請求項２７】
要素は、前記粒子を含有した少なくとも１つの多孔質層（８１６）を有し、前記層は、流体（Ｐ）に対して透過性であることを特徴とする請求項１８〜２６のうち何れか一に記載の器具。
【請求項２８】
前記少なくとも１つの多孔質層は、互いに異なる種類の粒子（８１９，８２０）の混合物を有し、前記粒子の少なくとも一部は、前記物質を含有していることを特徴とする請求項２７記載の器具。
【請求項２９】
前記少なくとも１つの多孔質層は、互いに異なるサイズの粒子（８１９，８２０）の混合物を有していることを特徴とする請求項２７又は２８記載の器具。
【請求項３０】
前記少なくとも１つの多孔質層の前記粒子は、結合剤（８２１）によって凝集されていることを特徴とする請求項２７〜２９のうち何れか一に記載の器具。
【請求項３１】
前記少なくとも１つの多孔質層は、流体（Ｐ）に対して透過性の２つの層（８１８）相互間に位置していることを特徴とする請求項２７〜３０のうち何れか一に記載の器具。
【請求項３２】
粒子は、結合剤、特にポリマー結合剤中に分散していることを特徴とする請求項１８〜２６のうち何れか一に記載の器具。
【請求項３３】
前記要素は、前記物質を含有した少なくとも１つの層を有する覆い（８３０）で被覆された本体（８３５）から成ることを特徴とする請求項１８〜２６のうち何れか一に記載の器具。
【請求項３４】
前記層（８３０）は、少なくとも結合剤及び前記物質を含有した前記粒子（８３１）で構成されていることを特徴とする請求項３３記載の器具。
【請求項３５】
前記層は、第２の物質を含有した別の粒子（８３２）を有していることを特徴とする請求項３４記載の器具。
【請求項３６】
本体（８３５）の材料は、磁界及び（又は）電界を流体（Ｐ）に及ぼすよう選択されていることを特徴とする請求項３３記載の器具。
【請求項３７】
要素は、以下の形態、即ちリング、シャトル、管、多面体、特に平行六面体のうちの１つを呈し、要素は、中実であり、又は少なくとも１つの穴が設けられていることを特徴とする請求項７記載の器具。
【請求項３８】
前記粒子（２２；４６；５２；６５；７３；２４５；２５６；２６６；２７４；２８３；３１１；３４１；３９３；４２４；５０１；６３２；６８０；６９０；７００；７１０；７３２；８０２）は、導電性であることを特徴とする請求項１８〜２６のうち何れか一に記載の器具。
【請求項３９】
前記粒子（２２；４６；５２；６５；７３；２４５；２５６；２６６；２７４；２８３；３１１；３４１；３９３；４２４；５０１；６３２；６８０；６９０；７００；７１０；７３２；８０２）は、導電性コアと、導電性覆い及びこれらの間に位置していて、導電性をコアに与えるのに適した中間層とを有し、それにより、覆いの材料を電気化学的に中間層上に析出させることができることを特徴とする請求項３８記載の器具。
【請求項４０】
前記粒子（２２；４６；５２；６５；７３；２４５；２５６；２６６；２７４；２８３；３１１；３４１；３９３；４２４；５０１；６３２；６８０；６９０；７００；７１０；７３２；８０２）は、磁界を発生させるのに適していることを特徴とする請求項１８〜２６のうち何れか一に記載の器具。
【請求項４１】
前記物質は、鉱物、植物、又は動物由来の少なくとも１つの化合物から成ることを特徴とする請求項７〜４０のうち何れか一に記載の器具。
【請求項４２】
前記物質は、触媒反応又は酵素反応を生じさせ、又は流体（Ｐ）の組成を変えるのに適していることを特徴とする請求項７〜４１のうち何れか一に記載の器具。
【請求項４３】
前記物質は、流体が小出しされている間、その作用を発揮することを特徴とする請求項７〜４２のうち何れか一に記載の器具。
【請求項４４】
前記物質は、物質中へ拡散するのに適しており、特に、少なくともこれがいったん製品中へ拡散すると、イオンの形態を呈するのに適していることを特徴とする請求項７〜４３のうち何れか一に記載の器具。
【請求項４５】
前記物質は、浄化性、防腐性、血液循環を促進する性質又は回復性、特に治癒性を備えていることを特徴とする請求項７〜４４のうち何れか一に記載の器具。
【請求項４６】
前記物質は、次のもの、即ち、金属及び金属合金、コバルト、バリウム、クロム、アルミニウム、銀、銅、チタン、青銅、マンガン、金属酸化物、イオン酸化物、特にフェライト、シリケート、スルフェート、特に炭酸カルシウム、非鉄化合物、特に硫黄、マグネシウム、カルシウム、ホウ素、カリウム、炭素、オリゴエレメント（oligoelements ）、海塩、岩塩、粘土、ステアタイト、藻類、プランクトン及びこれらからの抽出物、根菜類、甘草、生姜、蝋、オイル、殺菌剤、ビタミン類、タンパク質、酸、ホルモン、コラーゲン、明礬、明礬石、絹、大麻、グルコースから選択されることを特徴とする請求項３８記載の器具。
【請求項４７】
前記要素中の前記物質は、次のもの、即ち、シリカ、特にコロイドシリカ、砂、アルミナ、ステアタイト、砂岩、酸化チタン、酸化ジルコニウム、ガラス、セラミック、ウッド及びコルク、特に、繊維又は粉末形態のもの、コーン（とうもろこし）繊維、小麦繊維又は米繊維、溶岩、シリケート、方鉛鉱、酸化物、大麻、亜麻、絹、粘土、磁器、マイカ、ポリマー、特に熱可塑性ポリマー又は熱硬化性ポリマー、ＰＥ、ＰＥＴ、ＰＵ、ＰＶＣ、ＰＡ、ＥＶＡ、ビニル、ユリアホルムアルデヒド、エポキシ、ポリエステル、シアノアクリレート、エラストマーから選択された物質又は結合剤と接触していることを特徴とする請求項７〜４６のうち何れか一に記載の器具。
【請求項４８】
前記要素（２０；６０；４１；１３４；１５４；３２２；３３４；３４１；３６２；３７０；３８１；３９１；４１３；５６４；６２０；６５０；６６０；６７０；７４０；７５１；８０３）は、アプリケータとして役立つよう構成されていることを特徴とする請求項７〜４７のうち何れか一に記載の器具。
【請求項４９】
前記要素（２０；３３；４１；６０；１１４；１２０；１３４；１３５；１５４；１６０；１７３；１８５；１９１；２０４；２０９；２４１；２４２；３２２；３３４；３６２；３７０；３８３；３９１；３９５；４１３；５６４；６２０；６５０；６６０；６７０）は、流体に対して透過性であることを特徴とする請求項７〜４７のうち何れか一に記載の器具。
【請求項５０】
器具は、１回使用のものであり、前記要素を含浸した１回分の流体を小出しするよう構成されていることを特徴とする請求項７〜４９のうち何れか一に記載の器具。
【請求項５１】
前記要素（７４０；７６０；７５０；７７０）は、以下の一覧、即ちマスカラブラシ、歯ブラシ、髪の毛用のくし、製品を睫毛又は眉毛に塗布するのに用いられるくし、製品を爪又は唇に塗布するのに用いられるブラシ、パウダパフ、フォームから選択されていることを特徴とする請求項７〜５０のうち何れか一に記載の器具。
【請求項５２】
流体は、受け具内に入れられ、前記要素（３３；９３；１１４；１２０；１３５；１６０；１７３；１８５；１９１；２０４；２０９；２４１；２４２；３２２；３３４；３６２；３７０；３８３；３９５；４１３；５６４；９８１）は、器具を用いるとき、受け具から取った流体が要素を通過するようにするよう構成されていることを特徴とする請求項７〜５１のうち何れか一に記載の器具。
【請求項５３】
前記要素は、受け具に着脱自在に締結されるのに適していることを特徴とする請求項５２記載の器具。
【請求項５４】
前記要素は、受け具を閉鎖するためのカプセルのスカートに締結されていることを特徴とする請求項５２記載の器具。
【請求項５５】
要素は、管（９６４）の形態をしており、流体は、使用時にこの管を通って流れることを特徴とする請求項５２記載の器具。
【請求項５６】
器具は、塗布部材（５９１）を有し、前記要素（５８５）は、塗布部材の湿気を取るよう構成されていることを特徴とする請求項７〜４７のうち何れか一に記載の器具。
【請求項５７】
前記要素は、流体に対して透過性であり、前記物質によって構成され又は前記物質を含み或いは磁界及び（又は）電界を流体に及ぼすのに適した粒子を保持するよう構成された少なくとも１つの壁（２１；４５；５３；６１；７５；２４１；２５５；３１５；３９２；４３６；５０３）を有していることを特徴とする請求項７〜４７のうち何れか一に記載の器具。
【請求項５８】
前記粒子は、ビーズを含み、又はビーズで構成されていることを特徴とする請求項５７記載の器具。
【請求項５９】
前記ビーズのうちの少なくとも１つは、圧縮性であることを特徴とする請求項５８記載の器具。
【請求項６０】
前記粒子は、少なくとも一部が前記製品透過性壁によって構成された空間内で自由であることを特徴とする請求項５７〜５９のうち何れか一に記載の器具。
【請求項６１】
前記要素は、製品に対して透過性であり、前記粒子（６５）を保持するのに適したサッシェ（６０）の形態をした壁を有していることを特徴とする請求項５７〜６０のうち何れか一に記載の器具。
【請求項６２】
前記製品透過性壁は、製品を皮膚、髪の毛又は指爪に塗布するのに用いられるのに適した表面を備えていることを特徴とする請求項５０〜６０のうち何れか一に記載の器具。
【請求項６３】
少なくとも１つの製品透過性壁は、取っ手部材（４０；８０；３９１；５３０）に固定されていることを特徴とする請求項５７〜６２のうち何れか一に記載の器具。
【請求項６４】
前記取っ手部材（４０；８０；３９１；５３０）は、流体（Ｐ）を収容した受け具に実質的に漏止め状態で締結可能であるよう構成されていることを特徴とする請求項６３記載の器具。
【請求項６５】
前記要素（５３１）は、前記流体（Ｐ）が収容する少なくとも１つの内部空間を形成していることを特徴とする請求項７〜４８のうち何れか一に記載の器具。
【請求項６６】
器具は、流体（Ｐ）を収容していない少なくとも１つのハウジングを有し、前記要素（５３１）は、使用されていない間、前記ハウジング内に配置できることを特徴とする請求項６５記載の器具。
【請求項６７】
器具は、前記ハウジングをこの中に収納された前記要素（５３１）と実質的に気密関係をなして閉鎖できるクロージャ部材（５３２）を有していることを特徴とする請求項６６記載の器具。
【請求項６８】
器具は、使用されていないとき、要素を流体送出しオリフィスに当接保持して流体（Ｐ）を収容した内部空間を閉鎖するよう構成されていることを特徴とする請求項７〜４７のうち何れか一に記載の器具。
【請求項６９】
要素は、スターラとして働くことができるよう流体内で自由であることを特徴とする請求項７記載の器具。
【請求項７０】
器具は、カップ（９７４）を有し、前記要素は、前記カップの端壁のところに設けられていることを特徴とする請求項７記載の器具。
【請求項７１】
前記要素（９３）は、塗布要素を受け入れるのに適したハウジングを形成するよう構成されており、前記ハウジングは、製品を収容した受け具と流体連通するのに適していることを特徴とする請求項７記載の器具。
【請求項７２】
前記要素（９３）は、受座を形成するよう構成され、塗布要素を受座に当接させることができることを特徴とする請求項７１記載の器具。
【請求項７３】
前記要素は、少なくとも１枚のシート（６２０；６３０）を含み、又はこれによって構成されていることを特徴とする請求項７記載の器具。
【請求項７４】
前記シート（６２０；６３０）は、パッチ又はマスク（６４０）を形成するよう切断されていることを特徴とする請求項７３記載の器具。
【請求項７５】
前記シート（６２０；６３０）は、本体の一部を挿入状態で受け入れることができる内部空間を備えた中空本体、特に手袋（６５０）の全体又は一部を形成していることを特徴とする請求項７３記載の器具。
【請求項７６】
器具は、器具が閉鎖されたとき、ユーザが要素を見ることができるよう少なくとも一部が透明であることを特徴とする請求項７記載の器具。
【請求項７７】
器具は、流体を収容した受け具と要素との連通を断ち又は確立できるようにする弁部材を有していることを特徴とする請求項７記載の器具。
【発明の詳細な説明】
【技術分野】
【０００１】
本発明は、製品、例えば化粧品を包装すると共に（或いは）塗布する器具に関する。
【背景技術】
【０００２】
「化粧品」という用語は、本明細書において、１９９３年６月１４日付けＥＥＣ通達（Directive）９３／３５で定義された製品を意味するものとして用いられている。
【０００３】
包装及び（又は）塗布のための器具を記載した先行技術文献の例として、とりわけ米国特許出願第２００１／００３１１６８号明細書、米国特許第５，３９３，８０９号明細書、及び欧州特許出願公開第１０４３０１８号明細書を挙げることができる。
【発明の開示】
【０００４】
本発明は、とりわけその特徴のうちの１つにおいて、流体、特に化粧品を包装すると共に（或いは）塗布する器具であって、少なくとも１種類の物質を収容すると共に（或いは）電界及び（又は）磁界を発生させるのに適した少なくとも１つの要素を有し、この要素が上記流体及び（又は）上記流体を受け入れるようになった表面を上記物質に接触させることができると共に（或いは）上記流体及び（又は）上記表面を要素によって生じた電界及び（又は）磁界中に配置することができるよう構成された器具を提供する。
【０００５】
本発明は又、流体、特に化粧品を包装すると共に（或いは）塗布する器具であって、少なくとも１種類の物質を提供した少なくとも１つの要素を有し、この要素が上記流体を上記物質に接触させることができるよう配置された器具の特定の実施形態を提供する。
【０００６】
別の特定の実施形態では、本発明は又、流体、特に化粧品を包装すると共に（或いは）塗布する器具であって、磁界を発生させるのに適した少なくとも１つの要素を有し、この要素が、上記流体を要素によって生じた磁界中へ配置できるよう構成された器具を提供する。
【０００７】
「流体」という用語は、液体、粉末及びゲルを含む。
【０００８】
物質を、少なくとも要素が流体に接触する前に、例えば粒子の形態で上記要素中に固体状態で保持することができる。
【０００９】
「粒子」という用語は、広義に理解されるべきであり、あらゆるサイズ、あらゆる形状、特に細長い形状、均質又は不均質であってよい組成の結晶及び物体を含み、粒子は、中空であってもよく、中実であってもよい。一例として、粒子のサイズは、０．１μｍ〜７μｍ、又は２μｍ〜３ｍｍであり、或いは１０μｍ〜１ｍｍ、特に５０μｍ〜５００μｍである。
【００１０】
非限定的な実施形態では、物質は、上記要素内に捕捉状態で保持されている粒子から流体中へ拡散することによって放出されるものであるのがよい。
【００１１】
要素中に存在する物質が流体と接触する場合、物質は、鉱物、植物又は動物由来の少なくとも１種類の成分を有するのがよい。物質は、磁性を備えるのがよいが、このようにするかどうかは任意である。
【００１２】
物質は、触媒反応又は酵素反応を生じさせ、又は流体の組成を変えるのに適したものであってもよい。
【００１３】
物質は、例えば流体が小出しされている間、又は器具の受け具内にある貯蔵期間の間、作用するのがよい。
【００１４】
物質は、製品中へ拡散するのに適したものであるのがよく、特に、少なくとも製品中へ拡散した後、イオンの形態となるのに適したものであるのがよい。
【００１５】
要素は、防腐性を備えるのがよく、血液の循環を促進するものであるのがよいと共に（或いは）回復性、特に、治癒性、痛み緩和性及び（又は）リラクシング性を備えるものであるのがよい。
【００１６】
かくして、例えば、要素は、殺生性を発揮するものであってもよい。
【００１７】
要素は又、浄化性を備えるものであってもよい。「浄化性」という用語は、要素が不純物又は望ましくないものと考えられがちな成分をピックアップするのに適していることを意味している。かくして、要素は、例えば炭素の粒子を有するのがよく、これら粒子は或る成分を吸収するのに適している。一例として、要素はかくして、流体中の不純物が塗布表面に達するのを阻止し、又は塗布表面上に存在する不純物が流体供給源に達するのを防止するのに役立つものであるのがよく、要素は場合によっては、例えばフィルタとして働く。
【００１８】
要素は、電解又は磁界を発生させることができるものであってもよい。要素は、電場内で発生するイオンを含む材料から成るものであってもよい。あるいは又は加えて、要素は、静電気が荷電された材料から成るものであってもよい。
【００１９】
一例として、要素は、次のもの、即ち、金属及び金属合金、コバルト、バリウム、クロム、アルミニウム、銀、銅、チタン、青銅、マンガン、金属酸化物、イオン酸化物、特にフェライト、シリケート、スルフェート、特に炭酸カルシウム、非鉄化合物、特に硫黄、マグネシウム、カルシウム、ホウ素、カリウム、炭素、オリゴエレメント（oligoelements）、海塩、岩塩、粘土、ステアタイト、藻類、プランクトン及びこれらからの抽出物、根菜類、甘草、生姜、蝋、オイル、殺菌剤、ビタミン類、タンパク質、酸、ホルモン、コラーゲン、明礬、明礬石、絹、大麻、グルコース（なお、これらには限定されない）から選択された物質から成るのがよい。
【００２０】
上記要素内において、物質は、次のもの、即ち、シリカ、特にコロイドシリカ、砂、アルミナ、ステアタイト、砂岩、酸化チタン、酸化ジルコニウム、ガラス、セラミック、ウッド及びコルク、特に、繊維又は粉末形態のもの、コーン（とうもろこし）繊維、小麦繊維又は米繊維、溶岩、シリケート、方鉛鉱、酸化物、大麻、亜麻、絹、粘土、磁器、マイカ、ポリマー、特に熱可塑性ポリマー又は熱硬化性ポリマー、ＰＥ、ＰＥＴ、ＰＵ、ＰＶＣ、ＰＡ、ＥＶＡ、ビニル、ユリアホルムアルデヒド、エポキシ、ポリエステル、シアノアクリレート、エラストマー（なお、これらには限定されない）から選択された結合剤又は物質と接触しているのがよい。
【００２１】
要素は、特に上記物質を流体中へ放出することができるよう構成されている場合、それ自体、流体のアプリケータとして働くよう構成されたものであるのがよく、例えば、全体として凸状の表面、例えばドームの形態をした表面を有する少なくとも１つの部分を有するのがよい。
【００２２】
要素は、流体に対して透過性であるのがよい。特に、流体を例えば受け具内に入れるのがよく、要素は、器具が用いられているとき、受け具から取り出された流体が要素を通過するよう構成されたものであるのがよい。特に、要素は、受け具を出た流体の全てがこれを通るよう構成されたものであるのがよい。
【００２３】
器具は、１回使用専用であり、上記要素を含浸した１回分の流体を小出しするよう構成されている。
【００２４】
要素は、上記物質を含む繊維から成っていてもよく、例えば、マスカラを塗布するブラシ、髪の毛のくし、又は製品を睫毛又は眉毛に塗布するブラシ、ヘアブラシ、歯ブラシ、製品を爪又は唇に塗布するブラシ、又はフロック加工チップ、又はパウダパフを構成するのがよい。
【００２５】
要素は、焼結材料、セラミック、フェルト、フォーム、スポンジ、織布又は不織布から成る部品を更に含み、又はこれで構成されている。
【００２６】
要素を使用に先立って、流体で含浸するのがよい。
【００２７】
要素は、受け具に永続的に固定され、或いは受け具に着脱自在に固定できるよう構成されたものであるのがよい。着脱自在な取付けにより、要素を流体又は流体を受け入れるようになった表面に対して要素によって行うのが望ましい作用の関数として選択することができる。また、着脱自在な取付けにより、例えばその日の間、１回以上の塗布を行うため、要素を受け具から分離することができ、要素は、例えばハンドバッグに入れた状態で持ち運びされる。
【００２８】
要素を、受け具にスナップ締結し、ねじ止めし、くっつけ又はヒートシールするのがよく、例えば、要素を受け具のクロージャカプセルに固定することができる。
【００２９】
要素が焼結材料の部品から成る場合、要素を熱可塑性又は熱硬化性の材料又は無機材料の粒子、特に、例えばセラミック、金属又は金属酸化物である粒子から作るのがよい。
【００３０】
要素の全体又は一部をセラミックで構成してもよく、このセラミックは、例えば物質を含む材料から作られたものであるのがよい。
【００３１】
要素は、物質を含む材料で作られたフォームから成っていてもよい。
【００３２】
変形例として、要素は、物質を含む材料で含浸したもの、又は物質を含む粒子が入れられているフォーム又は焼結部品から成るものであってよく、これら粒子は場合によっては、結合剤、必要な場合には例えば接着剤でフォーム又は焼結部品内に保持される。要素は、製品との交換表面積を増大させることができる裸眼に見える少なくとも１つのキャビティを備えるのがよい。特に、製品が要素を通過しようとする場合、要素は、流体が要素を通過するのに要する時間を長くするよう非直線形状のチャネルを有するのがよい。
【００３３】
一例として、要素は、ペレットの形態をしているのがよく、このペレットのフェースの各々には穴が設けられ、これら穴は、流体を通すバッフルを形成するよう互いに僅かにオフセットしている。かくして、流体にさらされる要素の表面積を増大させることができる。要素は又、使用中流体が流通する管の形態をしていてもよい。
【００３４】
本発明の別の特徴では、器具は、アプリケータを有するのがよく、上記要素は、アプリケータの湿気を取るよう構成されたものであるのがよい。かかる条件の下では、要素は、例えばアプリケータによってピックアップされた流体の量に影響を及ぼす場合がある。
【００３５】
本発明の別の特徴では、上記要素は、流体に対して透過性の少なくとも１つの壁を有するのがよく、この流体透過性壁は、剛性であってもよく、或いは可撓性であってもよく、上記物質によって構成され、又は上記物質を含み、或いは磁界又は電界を流体に及ぼすのに適した粒子を保持するよう構成されている。一例として、粒子は、ビーズを有するのがよく、或いはビーズで構成されたものであってもよい。ビーズのうちの少なくとも１つは、圧縮可能なものであるのがよい。粒子を多少とも圧縮することにより、圧縮可能な粒子を用いることにより、これらの間の空間を変え、かくして、要素の通過時に損失水頭を変え又は粒子相互間に存在する流体の量を変えることができる。
【００３６】
上述の粒子は、少なくとも一部が上記流体透過性壁によって構成された空間内で自由であるのがよい。かくして、本発明の実施形態では、要素は流体透過性壁を有するのがよく、例えば、粒子を収容したサッシェ又はカートリッジの形態をしているのがよく、これら粒子は、サッシェ又はカートリッジの内部で自由である。
【００３７】
透過性壁は、流体を例えば皮膚、髪の毛又は爪に塗布する際に用いられるのに適した表面を備えるのがよい。表面を例えばフロック加工するのがよい。
【００３８】
透過性壁を取っ手部材に固定してもよい。取っ手部材は、例えば流体を収容した受け具に実質的に漏止め状態で締結可能であるよう構成されたものであるのがよい。
【００３９】
本発明の別の特徴では、要素は、物質を収容し、最大寸法が５ｍｍ〜４０ｍｍ、特に１０ｍｍ〜２０ｍｍの固体又はくり抜き状態の物体又は本体の形態をしているのがよい。
【００４０】
要素は、任意的に上記物質を含む覆いで被覆された本体、特に球形の本体から成るのがよい。物体の最大寸法は、例えば５ｍｍ〜４０ｍｍであるのがよい。
【００４１】
要素は、例えば流体を収容した受け具内部で自由であるのがよく、かくして、要素は必要な場合、スターラとして役立つのがよい。
【００４２】
器具は、使用されていないとき、要素を流体送出しオリフィスに当接保持して流体を収容した内部空間を閉鎖するよう構成されたものであるのがよい。
【００４３】
本発明の別の特徴では、要素は、上記流体、例えば用いられるべき流体の実質的全てを収容した少なくとも１つの内部空間を有するのがよい。器具は、流体が設けられていない少なくとも１つのハウジングを有するのがよく、上記要素が用いられていない場合、ハウジング内に導入することができ、上記要素は、上記ハウジングの全体又は一部を占める。器具は、例えばハウジングを要素がハウジング内に配置された状態で実質的に気密状態で閉鎖することができるクロージャ部材を更に有するのがよい。上述のクロージャ部材は、必要な場合、取っ手部材として役立つよう構成されたものであるのがよい。流体を収容した要素を導入できる流体が入っていないハウジングは例えば、電気的性質及び（又は）磁気的性質を備えた粒子を収容するのがよい。
【００４４】
本発明の特徴では、要素は、塗布部材を受け入れることができるハウジングを構成するようになっているものであるのがよく、ハウジングは、例えば流体を収容した受け具と流体連通するのに適している。一例として、要素は、受座を形成するよう構成されたものであるのがよく、受け具を何時閉鎖しようとも、塗布部材は相当大きな軸方向圧縮力で又はかかる相当大きな軸方向圧縮力を受けなくても、受座に当接することができる。
【００４５】
本発明の別の特徴では、器具は、カップを有するのがよく、要素は、このカップの底部に配置される。必要な場合、カップは、受け具を閉鎖する部材として役立つのがよい。流体を使用時点でカップ内に注ぎ込むのがよい。
【００４６】
本発明の別の特徴では、要素は、少なくとも１枚のシートを更に有するのがよく、或いはかかるシートで構成されたものであるのがよい。このシートは、物質が混ぜ込まれたマトリックスの少なくとも１つの層から成るのがよい。シートは、織布又は不織布の少なくとも１つの層を構成するのがよい。シートは、例えばパッチ又はマスクを形成するよう切断できる。シートは、物体の一部を受け入れるのに適した内部空間を構成する中空物体の全て又は一部を形成するのがよく、特に、このシートは、手袋、フード又はキャップを構成するのがよい。
【００４７】
器具は、各々が物質を収容した２つの要素を有するのがよく、互いに異なる要素内に入っている物質は、互いに異なる。
【００４８】
流体は、液体、ゲル、クリーム、粉末又は押し出し可能なスティックの形態をした製品であるのがよい。流体は、化粧品であるのがよく、又は流体は化粧品の溶剤として役立つものであってもよい。本発明は、特に液体との接触状態で分散するのに適した製品を包装すると共に（或いは）塗布するのに利用される。流体は、水、アルコール、オイル、ゲル又はエマルションを収容するのがよく、或いはこれらによって構成されたものであるのがよい。
【００４９】
使用される流体は、導電性ブリッジ又は要素の粒子相互間の磁界に対して透過性のブリッジを形成するのに適したものであるのがよい。
【００５０】
別の特徴では、本発明は、別個独立に又は上記の特徴と組み合わせて、流体、特に化粧品のアプリケータを提供し、このアプリケータは、粒子を収容した少なくとも１つのハウジング及び上記流体に対して透過性の少なくとも１つの壁を有し、この壁は、この壁と接触状態でハウジングの外部に存在する流体をハウジングの内部の上記粒子により、特に毛管現象により吸収できるようにする。
【００５１】
使用される粒子は、流体に対して不活性であるのがよく、流体との接触時に拡散により物質を放出する必要はない。特に、粒子は、例えば不活性材料の粉末又はガラス又はセラミックのビーズで構成されたものであるのがよい。粒子は、上述のハウジング内で自由であるのがよい。粒子は、物理的作用及び（又は）化学的作用を流体に及ぼすのに適したものであってもよく、例えば、これら粒子は、物質を流体中へ放出することができ、又は電界及び（又は）磁界を流体に及ぼすことができるものであるのがよい。
【００５２】
流体を所与の物質に接触させることにより、作用を流体に及ぼすことが望ましい場合、例えば、上記物質で部分的又は完全に覆われた粒子、例えばビーズを用いることが可能である。磁界を流体及び（又は）流体が通された表面に及ぼすのが望ましい場合、例えば被覆状態の磁性粒子を用いることが可能である。
【００５３】
粒子を収容したハウジングは、流体を収容した受け具から着脱自在であってもよい。一例として、ユーザは、互いに異なるタイプの粒子を収容した一連のハウジングを有し、それ自体選択的に利用できるのがよい。次に、流体を用いる粒子に応じて互いに異なる方法で処理するのがよい。かくして、流体は、皮膚、爪又は髪の毛への塗布中又は塗布後、互いに異なる効果を有することができる。
【００５４】
本発明は、別の特徴として、別個独立して又は上記特徴と組み合わせて、流体、特に化粧品のための少なくとも１つの入口を備えたカートリッジを提供し、この入口は、少なくとも一時的に上記流体を収容した受け具と流体連通状態になるのに適している。流体は、上記流体と接触し又は磁界及び（又は）電界を上記流体に及ぼすのに適した物質を有する少なくとも１つの要素を収容したカートリッジ内のハウジングを通過した後、カートリッジによって送り出される。一例として、要素は、例えば上記物質を流体との接触時に放出するのに適したフォーム、焼結部品、セラミック及び（又は）複数の粒子、特にビーズから成るのがよい。カートリッジは、カートリッジ内に入っている流体を供給できる塗布面を有するのがよい。塗布面は、多孔質部材、例えばフォーム、焼結部品、セラミック又はフェルトで構成されたものであるのがよい。
【００５５】
本発明は、別の特徴として、別個独立に又は上記特徴と組み合わせて、流体、特に化粧品を包装すると共に（或いは）塗布する器具内での粒子、特にビーズの使用を提供する。使用される粒子は、セラミックビーズ及び（又は）セラミックコアを有するビーズであるのがよく、流体が塗布される表面に関するその特性に合わせて選択された材料で作られた覆いをコアの周りに設け、例えば金属をコアに付着させる。粒子は、例えば上記流体との接触時に物質を放出し、又は磁界及び（又は）電界を上記流体又は流体が通される表面に及ぼすのに適しているが、器具内に捕捉状態で保持されるものであるのがよい。
【００５６】
本発明は、別の特徴として、別個独立に又は上記特徴と組み合わせて、流体、特に化粧品を包装すると共に（或いは）塗布する器具を提供し、この器具は、上記流体に対して透過性であり、上記流体を収容したリザーバから取られた流体を通過させるよう構成された少なくとも１つの開口部を備える少なくとも１つの壁を有していることを特徴とする。開口部は、バッフルを構成するよう互いにオフセットした２つの盲穴から成るのがよい。壁は、焼結材料又は気泡質材料、例えばセラミックで作られるのがよく、この材料は場合によっては、所与の物質を収容し、製品は、上記壁の通過時に物質と接触するのに適している。壁は、電界及び（又は）磁界を製品に及ぼすのに適した粒子を有するのがよい。壁は、例えばプラスチック材料を射出することにより、或いは回転成形により、又は粉末を形成し、次にこれを焼いてセラミックを形成することにより作られるのがよい。
【００５７】
本発明は、別の特徴として、別個独立に又は上記特徴と組み合わせて、流体、特に化粧品のアプリケータを提供し、このアプリケータは、流体リザーバ及び上記流体に対して透過性であり、少なくとも一部が焼結材料又は他の多孔質材料、例えばフォーム又はセラミックで作られ、物質を例えば粒子の形態をした固体状態で含む少なくとも１つの壁を有し、流体は、壁の通過時に上記物質と接触するのに適していることを特徴とする。物質は、作用を流体に及ぼすのに適したものであるのがよい。壁は、流体が壁を通過するときに磁界及び（又は）電界を流体に及ぼすのに適した粒子を更に有するのがよい。
【００５８】
本発明は、別の特徴として、別個独立に又は上記特徴と組み合わせて、流体、特に化粧品を収容した受け具に固定されるのに適したカートリッジを提供し、このカートリッジは、粒子、例えば係留状態のビーズを収容し、製品は、上記粒子と接触するのに適している。カートリッジは、受け具に開放自在に提供されるのに適したものであるのがよく、粒子は、カートリッジが受け具から引き抜かれると、カートリッジの実質的に密閉された空間内に収納される。カートリッジは、受け具に開放自在に締結されるのに適したものであるのがよく、粒子は、カートリッジを受け具から引き抜く場合、カートリッジの実質的に密閉された空間内に収納される。カートリッジは特に、流体をカートリッジ内に導入する際に開くのに適したフラップを有するのがよく、流体は、受け具から取り出される。かかるフラップは、着脱自在なユニットを受け具から引き抜く際に、粒子を実質的に気密状態で収容した空間を閉鎖するのに役立つ。
【００５９】
本発明は、別の特徴において別個独立に又は上記特徴と組み合わせて化粧品を収容した受け具内へ挿入可能な要素を提供し、この要素は、捕捉状態の粒子を有し、この要素は、要素が受け具内にあるとき、製品を粒子に接触させることができるよう構成されている。一例として、これら粒子は、上述した種類の物質で被覆されたセラミックのビーズであるのがよい。
【００６０】
本発明は、別の特徴として、別個独立に又は上記特徴と組み合わせて、流体、特に化粧品を包装すると共に（或いは）塗布する器具を提供し、この器具は、物質を収容し、又は磁界又は電界を発生させるのに適した粒子を含む少なくとも１つの要素を有することを特徴としており、前者の場合の要素は製品又は製品を受け入れるようになった表面を上記物質と接触させることができるよう構成され、後者の要素は、上記流体又は上記表面を要素によって生じた電界又は磁界内に配置することができるよう構成されている。物質を収容した粒子を結合剤によって互いに保持するのがよい。
【００６１】
要素は、上記物質を収容した第１の粒子及び上記物質を収容していない第２の粒子を更に有するのがよく、第１の粒子と第２の粒子は結合剤によって凝集される。
【００６２】
物質を収容した粒子は、被覆状態の粒子であるのがよく、例えば、各粒子は、第１の材料で作られたコア及び、第１の材料とは異なる第２の材料で作られた覆いを有するのがよく、覆いは、コアの周りに延び、これを完全に又は部分的に被覆する。コアの材料は例えば、磁界及び（又は）電界を流体又は流体を受け入れるようになった表面に及ぼすように選択されたものであるのがよい。製品中へ放出されるべき物質をコア及び（又は）覆い内へ収納するのがよい。物質は変形例として、覆いの表面にのみ存在していてもよい。被覆状態の粒子を用いることは、特に覆い材料が高価な場合、単一の材料で作られた粒子を用いる場合が好ましい場合がある。
【００６３】
要素は、上記粒子を有する少なくとも１つの物体又は層を有するのがよく、上記物体又は層は任意的に多孔質である。物体又は層は、互いに異なる種類の粒子の混合物を有するのがよく、これら粒子の少なくとも一部は、上記物質を収容し、粒子は任意的に、互いに異なる種類のものであり且つ互いに異なるサイズのものである。
【００６４】
粒子を結合剤で凝集するのがよく、結合剤は、有機であっても無機であってもよい。結合剤は、粒子を例えばセラミック中へ入れる場合、無機であることが必要である。結合剤は、粒子を例えば熱可塑性又は熱硬化性ポリマー内へ分散させる場合、有機であることが必要である。結合剤は又、セメント又は液体、例えばオイルであるのがよい。
【００６５】
一例として、要素は、物質を収容し、各々が例えば焼結部品で構成された２つの同一の多孔質層相互間に位置した多孔質層を更に有するのがよい。
【００６６】
要素は、上記物質を収容した少なくとも１つの層を有する覆いで被覆された例えば粘土で作られた物体を有するのがよい。層は例えば、上記物質を収容した粒子と共に少なくとも１種類の結合剤で構成するのがよい。層は、他の粒子、例えば、作用を製品に及ぼすための第２の物質の入った粒子を有するのがよい。物体の材料は又、磁界及び（又は）電界を流体に及ぼすように選択されたものであるのがよい。
【００６７】
一例として、要素は、以下の形態、即ちリング、シャトル、管、多面体、特に平行六面体、又は球形のうちの１つを呈するのがよい。
【００６８】
粒子は導電性であるのがよい。一例として、各要素は、絶縁性コア、導電性覆い、これらの間に設けられていて、導電性をコアに与えて特に覆いが金属であるときに、覆い材料を電気化学的方法によりコア上に付着させることができるようにするのに適した中間層を有するのがよい。
【００６９】
粒子は、金属又は１以上の金属酸化物、特に磁化可能な酸化物、例えばフェライトで作られたコアを必要な場合、これ又磁化可能な覆いで被覆したものであるのがよい。覆いは例えば、コアが流体と接触するのを防ぐのに役立つものであるのがよい。
【００７０】
本発明は、非限定的な実施形態の以下の詳細な説明を読むと共に添付の図面を参照すると一層よく理解されよう。なお、添付の図面は、本明細書の一体になっている。
【発明を実施するための最良の形態】
【００７１】
捕捉状態の粒子要素
本発明の第１の特徴では、皮膚、粘膜又は毛或いは爪への塗布のための流体、例えば化粧品又は皮膚ケア製品に作用を及ぼすのに適した物質を含む粒子がこの流体中に浸漬されるのに適した要素内に保持されている。
【００７２】
「化粧品」という用語は本明細書においては、ＥＥＣ通達７６／７６８を修正した１９９３年６月１４日付けＥＥＣ会議通達９３／３５で定義された製品を意味している。
【００７３】
図１は、流体Ｐ、例えば液体化粧品を収容した容器１１及び流体Ｐ中に浸漬された要素２０を有する器具１０を示しており、要素２０は、粒子２２を収容している。図示の例では、容器１１は、蓋１２によって実質的に気密状態に閉鎖されたものであるのがよく、蓋はねじ又は任意他の種類の締結方式又はスナップ止めにより容器１１に取り付けられるのに適している。
【００７４】
容器１１及び要素２０は、本発明の範囲から逸脱することなく種々の形態を取ることができる。
【００７５】
図１に示す実施形態では、要素２０は、製品に対して透過性のある壁２１を有し、この壁は、要素２０の内部に収容された粒子２２が逃げ出ないようにするのに十分小さなサイズの開口部及び（又は）気孔を備えている。
【００７６】
例を挙げて説明すると、壁２１は、流体Ｐに対して浸透性のある材料の少なくとも１枚のシート、例えば連続気泡フォーム、織布、不織布、有孔フィルムから成り又はこれによって構成されるのがよく、又は、ネットを熱成形し、熱可塑性材料を射出することにより及び（又は）複数のコンポーネント、例えば多孔質構造体及び補強材を互いに組み合わせることによって壁を形成してもよい。
【００７７】
消費者に関する限り、要素２０は、本来容器１１内に入れられた状態であってもよく、或いは消費者が例えば１回目の使用の際にこれを容器１１内へ挿入してもよい。かかる状況のもとでは、要素２０を例えば、種々の種類の粒子２２を収容した複数の要素２０から選択することができ、これら粒子は、例えば種々の物質を流体Ｐ中へ放出するのに適している。かくして、ユーザは、例えば流体に或る活性成分、例えば鉱物又は有機物質で強化するために流体Ｐに与えるのが望ましいと思う特性の関数として要素２０を選択することができる。粒子２２は又、流体Ｐに作用を及ぼすのに適した磁気的及び（又は）電気的性質を備えるのがよい。
【００７８】
必要に応じ、要素２０を流体Ｐの取出し前に容器１１から取り出してもよい。
【００７９】
別の変形例では、形状が図１に示す形状には限定されない要素２０を流体Ｐのアプリケータとして用いることができ、この要素２０は場合によっては。塗布を行う度にその後容器１１に再び挿入され、或いは、使用後、例えば要素２０が１回使用専用のものである場合、破棄される。
【００８０】
必要に応じて、要素２０を、ユーザがユーザによって選択された粒子２２をこの要素内に挿入することができるよう構成されたものであってもよく、これら粒子は、例えばユーザに入手できる１組の容器から取り出される。かくして、要素２０に挿入される粒子２２を選択することにより、ユーザは、意のままに、粒子２２によって流体Ｐに及ぼされる作用効果を変えることができる。例を挙げて説明すると、要素２０は、着脱自在なシャッタによって閉じられるのに適した粒子挿入開口部２２を有するのがよい。
【００８１】
要素２０の変形実施形態の一例として、図２は、２枚のシート６１，６２から成る全体としてサッシェの形態をした要素６０を示しており、これらシートは、流体Ｐに対して透過性があり、又これらの周囲の周りで符号６３のところにおいて互いにシールされて要素６０の中に捕捉状態に保たれる複数の粒子６５を収容する内部空間６４を構成している。粒子６５は流体Ｐと接触した際に拡散するのに適した物質を含むのがよいが、このようにするかどうかは任意であり、この流体Ｐは、要素６０上に注ぎ出され、又は要素は流体Ｐ中に浸漬されたものであるのがよい。
【００８２】
変形例として、粒子６５は、流体Ｐに対して完全に不活性であってよく、即ち、流体との接触の際に所与の物質を放出することができず、粒子は、シート６１及び（又は）６２中の毛管現象により製品を吸収することにより要素６０が製品を取り込む能力を増大させるためにのみ役立つものである。シートは、可撓性であるのがよく、例えば、連続気泡フォーム、織布又は不織布、有孔フィルム、熱可塑性材料のネット又は熱可塑性積層品で作られたものであるのがよい。要素６０は、流体Ｐを皮膚に塗布するために用いることができ、例えばこの表面をフロック加工するのがよい。
【００８３】
要素２０又は６０に代えて取っ手部材に固定された要素を用いてもよい。
【００８４】
一例として、図３は、流体Ｐ、例えば液体化粧品を収容した容器３１と、取っ手部材４２によって支持された塗布要素４１を備えたアプリケータ４０とを有する器具３０を示しており、取っ手部材４２は又、容器３１を実質的に気密状態に閉鎖することができるクロージャ部材を構成している。
【００８５】
容器３１は、容器３１を閉鎖すると、塗布要素４１の少なくとも一部を受け入れるハウジング３２を有している。図示の実施形態では、ハウジング３２は、ハウジング３２の内部と容器３１に入っている流体Ｐとを流体連通させることができる通路３４が設けられた部品３３によって構成されている。
【００８６】
塗布要素４１は、流体Ｐに対して透過性又は浸透性のある壁４５を有し、かかる壁は、任意的に剛性であっても可撓性であってもよく、例えば熱成形ネットのような格子又は織布、不織布、スポンジ、焼結部品、有孔フィルムによって構成される（これらには限定されない）。壁４５は、粒子４６を保持する内部空間を構成し、粒子は、壁が開口部を有していても、壁４５を通過できないほど大きいものである。
【００８７】
粒子４６は流体Ｐに接触したときに物質を放出するのに適したものであるのがよいが、このようにするかどうかは任意である。粒子４６が流体Ｐとの接触時に物質を放出するのに適している場合、かかる物質は、流体Ｐ中に拡散してその性質を変え、例えばその保存性を向上させるのがよい。粒子４６が製品に対して不活性であり、この中へ物質を放出しない場合、粒子４６は、例えばアプリケータ４０が十分に多量の製品を拾い取ることができるようにする目的で流体Ｐを壁４５の毛管現象により吸収するのに役立つに過ぎないものであってもよい。粒子４６は又、流体Ｐ及び（又は）製品が塗布される表面に磁界及び（又は）電界を及ぼすのに役立つものであるのがよい。
【００８８】
使用できる粒子４６の例について説明すると、例えばビーズ、特に供給業者であるイーピーアール・フランス（EPR France）によって登録商標Zirmil及びZirblast、特にZirblastER 120又はER 1205、Zirshot又はErmilで市販されているラミック製ビーズが挙げられる。使用されるビーズは、比較的大きな粒状顕微鏡組織又は表面粗さを備えるのがよく、これらを任意的にコーティングするのがよい。例を挙げて説明すると、ビーズを二酸化ジルコニウムとシリカの混合物で作るのがよい。
【００８９】
必要に応じ、部品３３はそれ自体、流体Ｐが通路３４を経て部品３３を通過するときに流体Ｐに作用するのに適した物質で満たされているのがよい。部品３３は、熱可塑性材料を射出し、又は回転成形し、例えば特にセラミックを形成するために焼結することにより作られたものであるのがよい。
【００９０】
粒子を収容するアプリケータを、かかる粒子をユーザにより例えば最初の使用の際にアプリケータ内の定位置に配置することができるよう、或いは変形例として、例えば上記粒子に含まれ又はかかる粒子を構成する物質が使用し尽くされると又は流体Ｐが接触するようになる物質の種類をユーザが変えたいと望む場合、使用の度に取り替えることができるよう構成するのがよい。その目的は、製品上の粒子により製品が塗布される表面に及ぼされる効果を変えることにある。
【００９１】
一例として、図４は、図３のアプリケータ４０の変形実施形態に相当するアプリケータ８０を示している。アプリケータ８０は、取っ手部材４２が、壁４５によって構成された粒子４６を収容する内側スペースに接近できるようにする開口部８６を有している点でアプリケータ４０とは本質的に異なっている。開口部８６を閉鎖することができるようにするクロージャ部材８１が設けられている。このクロージャ部材は、例えばフィルムヒンジ８２によって取っ手部材４２の本体に連結されたヒンジ止め蓋によって構成されている。この蓋は、開口部８６を備えた取っ手部材４２に実質的に漏止め状態で圧接するのに適した密封リップ８３を有するのがよい。一例として、粒子４６を蓋の閉鎖に先立って開口部８６を通して挿入するのがよい。
【００９２】
例えば処理されるべき身体の領域又はフェースに応じて粒子を収容する要素に種々の形状を与えることができる。
【００９３】
非限定的な例として、図５は、マスクの全体的な形状を備え、図６で分かるように流体Ｐに対し不透性の壁７１、例えば熱成形壁を有する器具７０を示している。壁７１は、全体としてマスクの形をしていて、複数の粒子７３を収容するハウジング７２を構成しており、ハウジングは、壁７１から見て遠くに位置したそのフェースが流体Ｐに対して透過性の壁７５によって閉鎖されている。この壁７５は、例えば周囲が壁７１に固定された不織布によって構成されている。ハウジング７２を、ユーザが器具７０を最初に用いる際、流体Ｐで満たすのがよく、或いは変形例としてユーザは、流体Ｐを壁７５を介してハウジング７２に注ぎ込むことにより、或いは器具を流体Ｐの入った受け具内に浸漬することにより流体Ｐをハウジング７２内へ挿入してもよい。
【００９４】
図１〜図６の実施例では、粒子は、これらを収容したスペース内で自由であり、即ち、粒子を上記スペース内に保持する壁が引き裂かれると、又は開かれると、粒子は逃げ出ることができる。
【００９５】
粒子は又、流体を収容した受け具内で自由であるのがよく、しかも流体だけを通過させるようにするのに適した部材、例えばストレーナ又はフィルタによってこの中に保持されるのがよい。
【００９６】
一例として、図７は、流体Ｐを粒子５２、例えばビーズと一緒に受け具５１内に収容した器具５０を示している。グローブの指のような形状をしていて、開口部５４を備えた端壁を有する部材５３により、流体Ｐはアプリケータ５５に至ることができるが、粒子５２は受け具５１から出るのが阻止される。当然のことながら、上述の実施形態の全てにおいて、粒子は、種々のサイズ及び種類のものであってよく、このことは本発明の範囲から逸脱しない。また、例えば磁気作用のような作用を製品が貯蔵されている間だけ製品に及ぼすことが可能である。
【００９７】
かかる作用を及ぼすことができるようにする器具８００が図８に示されている。流体Ｐは、受け具８０１内に挿入されたカップ８０３に入れられている。カップ８０３と受け具８０１の壁との間の内容積部は、磁気作用を流体Ｐに及ぼすのに適した粒子８０２を収容している。
【００９８】
次に、図２５〜図３０、図３９、又は図４１〜図４４を参照して、放出可能であって、作用を流体Ｐに及ぼすのに適した、或いは物質を上記流体中へ放出することができる粒子を備えた他の実施形態について説明する。
【００９９】
流体Ｐに接触し、或いは磁界及び（又は）電界を流体Ｐに及ぼすのに適した少なくとも１つの物質も又、本発明の別の特徴において、焼結部品、特にセラミック又は任意他の多孔質要素、例えばフォーム内に入れられるのがよい。
【０１００】
焼結又は他の多孔質要素
図９は、流体Ｐを収容した受け具９１及び取っ手部材１０２によって支持された塗布部材１０１を備えたアプリケータ１００を有する器具を示しており、取っ手部材１０２は又、受け具９１を閉鎖する部材ともなることができる。受け具は、塗布部材１０１を受け入れるハウジング９２を有している。ハウジング９２は、焼結部品として形成された要素９３によって構成され、上記要素９３は、流体Ｐが塗布部材１０１に到達することができるよう流体Ｐに対して透過性である。
【０１０１】
焼結部品は、焼結セラミック又は金属であるのがよく、或いは、焼結部品を例えば粒子を互いに焼結することによりプラスチック材料で作るのがよく、特にプラスチック材料又は場合によってはエラストマー材料のビーズで作るのがよい。
【０１０２】
焼結部品を構成し、適宜機械的強度を焼結部品に与えることができる材料によって物質を流体Ｐ中へ放出するのがよく、或いはかかる物質を流体の基本配合に含ませてもよい。かくして、問題の物質は例えば、焼結部品を構成するのに用いられる粉末の全てを構成するのがよく、或いはかかる物質は、焼結部品を構成するのに用いられる粉末中に他の成分と一緒に存在してもよい。
【０１０３】
物質を、焼結部品又は他の多孔質要素、例えばフォーム中に、例えばその製造後に取り込んでもよく、その手段として例えば、焼結部品を上記物質を溶解状態で又は懸濁状態で含む液体中に浸漬し、次に焼結部品又は他の多孔質要素を含浸した液体が蒸発して無くなるようにする。すると、物質は、物質を焼結部品に挿入するのに用いられた液体が例えば蒸発して無くなった後、焼結部品の内部で結晶化することができる。
【０１０４】
焼結部品又は他の多孔質要素中に取り込まれる物質は、液体中に分散した粒の形態であってもよい。かかる状況では、粒のサイズ及びこれらの濃度は、粒が焼結部品又は多孔質要素の細孔を完全に詰まらせるのを回避しながら焼結部品又は多孔質要素にしみ込むことができるよう焼結部品又は多孔質要素の細孔のサイズの関数として選択できる。
【０１０５】
焼結部品又は他の多孔質要素中に存在している物質は、例えば微量成分形態で製品中に拡散してこれに特定の性質を与え、特にその保存性を向上させ又は製品中に酵素反応又は触媒反応を生じさせるよう意図されたものであるのがよい。
【０１０６】
焼結部品又は他の多孔質要素中に存在する物質は、例えば製品中に存在し又は塗布要素中に存在する或る成分を吸収することにより製品を浄化させるのにも役立つのがよい。
【０１０７】
また、焼結部品又は他の多孔質要素中に存在する物質は、流体Ｐに磁界及び（又は）電界を及ぼすよう意図されたものであるのがよい。
【０１０８】
必要な場合、要素９３は、これを製品に対して透過性にする細孔を備えるだけでなく、図３の器具３０の通路３４と同様、製品がハウジング９２に一層容易に到達することができるようにする貫通した通路を有するのがよい。要素９３は、あまりに小さすぎて流体Ｐに対して本質的に透過性となることができない細孔を更に有するのがよく、又かかる要素は、器具３０の通路３４と同様に形成されていて、流体Ｐを通すことができる開口部を必要とする場合がある。必要な場合、これら開口部は、以下に説明するようにバッフルを形成するのがよい。
【０１０９】
塗布要素１０１を任意の従来型塗布要素で構成するのがよく、例えば、これはフォーム、フェルト又は焼結部品から成るのがよく、又その表面にフロック加工を施したものであるのがよいが、このようにするかどうかは任意である。
【０１１０】
塗布要素は、製品を収容した受け具と協働して塗布要素を引っ込めると、塗布要素を受け入れる圧送効果がハウジング内の製品に加わるようにするよう構成されたものであるのがよい。
【０１１１】
本発明の範囲から逸脱しないで、アプリケータ１００に代えて上述のアプリケータ４０又は８０を用いてもよい。
【０１１２】
図１０に示す器具１０５は、図９に示すアプリケータ１００が、例えば塗布中、磁気作用を及ぼすのに役立ち、血液の微小循環を促進するようになった磁石１０６をどのように設ければよいかを示している。
【０１１３】
また、図９の要素９３に代えて、焼結部品又は任意他の多孔質要素で作られた要素を有する部品を焼結されていない材料で作られたこの要素の支持体と共に用いてもよい。
【０１１４】
一例として、図１１は、受け具１１１を有する器具１１０を示しており、この受け具１１１は、塗布要素（図示せず）のハウジング１１３を構成する部品１１２を受け入れ、ハウジング１１３の端壁は、焼結部品として形成された要素１１４によって構成されている。要素１１４は、受け具１１１内に入っている流体Ｐがハウジング１３に到達することができるようにする通路１１５が設けられたペレットの形態をしている。
【０１１５】
要素１１４を、任意の手段、例えば環状リブ１１６によって定位置に保持するのがよく、又この要素は、肩１１７に当接するのがよい。
【０１１６】
変形例として、要素１１４は、焼結されていない材料、例えば中実、有孔又は気泡質のプラスチック材料で作ってもよく、一例として、この要素は、流体Ｐが通路１１５を通過する際に所与の物質を放出し、又は磁界を流体Ｐに及ぼすのに適した充填物としての粒子を収容してもよい。
【０１１７】
接触面積の増大
製品が塗布要素に到達するために通らなければならない通路に、流体Ｐとこの製品が通過する要素との間の接触面積を増大させるのに役立つ形状を与えるのがよい。
【０１１８】
一例として、図１２は、例えば互いに反対側に位置したフェースから開口し、製品が要素１２０を通過する際に長い経路を辿るよう製品を拘束するバッフルを形成するよう互いに平行であるが、ずれている軸線上に位置した盲穴１２１，１２２を備えた焼結部品として形成されている要素１２０を示している。
【０１１９】
製品を包装する別の方法
流体Ｐを、本発明の範囲から逸脱することなく、上述の方法以外の多くの方法で包装することができる。
【０１２０】
一例として、図１３は、流体Ｐをポンプ１３２によって小出しできる器具１３０を示しており、流体は軟質バッグ１３１から取り出される。流体Ｐをハウジング１３３内に送り込むことができ、塗布要素１３４をこのハウジング１３３内に配置することができる。ポンプを作動するため、ハウジング１３３を押し下げ、このハウジングは、バッグ１３１及びこれを収納した受け具１３６に対して動くことができる。
【０１２１】
図示の実施形態の場合のように、ハウジング１３３の端壁は、上述の要素１２０と類似した要素１３５を収納するのがよく、この要素は、ポンプ１３２によって送り出された製品がこれを通過するように配置され、又この要素１３５は場合によっては、流体がこれを通過するときに流体Ｐと接触したときに所与の物質を放出するのに役立ち、又は製品を磁界及び（又は）電界にかけるのに役立つ。要素１３５は、図示の形状以外の形状の通路、例えば図９に示す要素１１４の場合と同様に直線状の通路を更に有するのがよく、或いは任意の特定の通路を備える必要がなく、製品は、例えばあらゆる方向に互いに通じ合った細孔を介して要素１３５を通過する。
【０１２２】
塗布要素１３４は、任意の種類のものであってよく、例えば、これを上述したようなアプリケータ４０又は８０によって構成してもよい。塗布要素１３４は又、例えば多孔質材料、例えばフォーム、フェルト又は焼結部品で構成してもよく、かかる材料は任意的に、種々の粒子、例えば流体Ｐとの接触時に所定の物質を放出し又は磁界及び（又は）電界を及ぼすのに適した粒子で満たされる。図示していない変形例では、塗布要素１３４は、凹凸部分、特に凹部を有してもよく、或いはその表面にフロック加工を施したものであってもよい。また、流体Ｐを、部分的に図１４に示す器具１５０の場合と同様、浸漬管により塗布要素を受け入れるのに適したハウジング内に配置してもよい。器具は、受け具１５２内に入れられた製品が塗布要素１５４を受け入れることができるハウジング１５３に達することができるようにするのに適した浸漬管１５１を有している。塗布要素を、ハウジング１５３を閉鎖するための部材を構成するのにも適した取っ手部材１５５に固定するのがよい。特に、クロージャ部材１５５を、塗布要素１５４がハウジング１５３内の定位置に位置した状態で、ハウジング１５３を実質的に気密状態に閉鎖するよう構成するのがよい。
【０１２３】
製品を、例えば受け具１５２の壁を圧縮することにより、浸漬管１５１を介してハウジング１５３に入れるのがよい。図示の実施形態では、ハウジング１５３は塗布要素１５４がハウジング１５３内の定位置に位置した状態で実質的に気密状態に閉鎖されているので、製品が浸漬管１５１を介してハウジング内に上昇するようにする受け具１５２の内容積部の減少により、ハウジング１５３内の圧力が増大することは理解されるべきである。圧力のこの増大により、浸漬管１５１に沿う製品の上昇が抑えられる傾向があり、かくしてユーザはハウジング１５３に送られる製品の量を測定するのが容易になる。
【０１２４】
例えば、浸漬管１５１によりハウジング１５３に送り込まれた製品との接触時に所与の物質を放出し、又は磁界及び（又は）電界を製品に及ぼすのに適した要素１６０を、例えば環状リブ１６１によってハウジング１５３の底部に固定された状態でハウジング１５３の底部内に配置するのがよい。
【０１２５】
塗布要素１５４は、任意の種類のものであってよく、例えば、物理的作用又は化学的作用を製品に及ぼすのに適した物質を保持する焼結部品によって塗布要素を構成してもよい。
【０１２６】
或る作用を製品に及ぼし、例えば製品に磁界及び（又は）電界をかけ又は上記要素との接触時、特にこの要素を通過する際に所与の物質を製品中へ放出するのに適した要素も又、図１５〜図２２を参照して以下に説明するようにディスペンサ又は押しボタンエンドピースを備えたクロージャカプセル内に組み込んでもよい。
【０１２７】
図１５は、例えば化粧品を収容した受け具１７１を有する器具１７０を示しており、この受け具には、受け具１７１に入っている製品を通過させるような仕方で配置された要素１７３を支持したディスペンサエンドピース１７２が固定されている。要素１７３を例えば、所定の物質を固体の状態で保持するフォーム又は焼結部品によって構成するのがよい。
【０１２８】
図１６は、受け具１７６を備えた器具１７５の一部を示しており、この受け具のネック１７７は、例えばスナップ締結によってネック１７７に固定されたベース部分１８１及び例えばフィルムヒンジ１８３によってベース部分１８１にヒンジ止めされた蓋１８２を有するクロージャカプセル１８０を備えている。ベース部分１８１は、受け具１７６内に入っている製品に対して透過性であり、製品を小出しの際に通過させるようフィルタとして配置された要素１８５を収容している。要素１８５を例えば、所定の物質、例えば製品中へ拡散するようになった物質を収容した焼結部品又はフォームで構成するのがよい。
【０１２９】
図１７は、液体、例えばシャワー用ゲル、シャンプー、ボディローション又はオイル（これらには限定されない）を収容した受け具１９６に固定されるフローレジューサ（flow reducer）１９１を示している。
【０１３０】
一例として、受け具は、可変内容積のものであるのがよく、製品の小出しのためにユーザが押し潰すことができる壁を有するのがよい。受け具のネックは、力を入れてネックに嵌め込まれると共にプレート１９９の頂部に連結された管状スカート１９８を有するインサート１９３を受け入れ、プレート１９９は穴あけされて中央出口オリフィスが設けられている。プレートは、ネックの頂端縁で支持される周囲部を有している。管状スカート１９８は、ネックの内面に漏止め状態で当接する。例えばフォームで作られたフローレジューサ１９１は図示の実施形態では、実質的に円筒形であり、その頂部フェースは、このプレートに固定されている。フローレジューサは、フォーム、ポリウレタン、ポリエステル、ポリエーテル、ＰＶＣ又はニトリルブタジエンゴム（ＮＢＲ）（これらには限定されない）で作られた単一のブロックから成るのがよい。フォームは、この中に粒子、例えば、フローレジューサ１９１を通過した製品と接触するのに適した物質で構成され又はかかる物質を含む粒子を収容するのがよい。図示の実施形態では、通路１９２は、フローレジューサ１９１を通り、この通路は、静止状態ではその長さに沿う少なくとも１箇所で実質的に閉鎖されており、この通路は、製品からの圧力を受けて開放することができる。
【０１３１】
空気取り入れを容易にするため、フローレジューサの側面と管状スカート１９８との間にギャップ１９５を設けるのがよい。フローレジューサは、その頂部フェースがプレート１９９の下面に固定されている。インサート１９３は、プレート１９９の下に延びる環状リブ１９４を有するのがよく、このリブは、フローレジューサ１９１をインサートにヒートシールしたときに加熱される。
【０１３２】
物質を製品の小出しの際に製品が通過するフォーム内に入れるのがよい。一例として、図１８は、流体Ｐを受け具２６２から取り出すポンプ２６１を備えた器具２８０を示している。ポンプ２６１は、ハウジング２６５を備えた押しボタン２６４によって作動され、このハウジング２６５は、例えば所与の物質を製品中へ拡散させることにより、又は磁界又は電界を製品にかけるようにすることにより作用を製品に及ぼすのに適した複数の粒子を収容したフォーム９８１を収納している。必要な場合、押しボタン２６４を受け具２６２から引き抜いてユーザが１組の押しボタンから１つの押しボタン２６４を選択できるようにしてもよく、各ボタンには互いに異なる物質が入っている。
【０１３３】
作用を製品に及ぼす要素は又、図１９に示すように器具９８５の受け具９８４に固定されたクロージャカプセル９８３の内側ネック９８２に固定してもよい。
【０１３４】
流体Ｐ中へ拡散され、又はこれに磁界又は電界を及ぼす物質も又、図２０に示すように器具９６０の流体Ｐを小出しするオリフィスを形成する管内に設けてもよい。
【０１３５】
器具９６０は、クロージャキャップ９６３を受け入れる雄ねじ付きのネック９６２を備えた受け具９６１を有している。物質の入った管９６４が、ネック９６２の内部に固定され、流体が小出しされている間、作用を流体に及ぼす。
【０１３６】
図２１は、ポンプ２０２及びポンプを作動させることができる押しボタン２０３を備えた受け具２０１を有する器具２００を示している。押しボタン２０３は、一回分の製品を小出ししている間製品を通過させることができるような仕方で配置された要素２０４を有し、この要素は、例えば上述の実施形態と同様、所定の物質を収容したフォーム又は焼結部品で構成されている。
【０１３７】
この要素は、一回分の流体Ｐを収容していて、図２２及び図２３に示すように器具の１回の使用中、かかる流体を塗布するのに用いられるフォームの形態をしていてもよい。図２２では、器具９９０は閉鎖されており、フォーム９９１は、蓋９９２とキャビティ形成部分９９３との間で圧縮されている。蓋９９２を開放すると、フォームは、その初期体積に戻り、かかるフォームを用いると図２３に示すようにフォームが収容している流体Ｐを塗布することができる。
【０１３８】
当然のことながら、例えば通過することにより作用を製品に及ぼすようになった要素は、上述の要素に加えて、多くの他の形態を取ることができる。
【０１３９】
一例として、図２４は、例えば焼結部品として形成され、又はフォームの形態をしていて、軸方向断面が十字の形をした要素２０９を示している。
【０１４０】
製品が通るハウジングに入れられた粒子
図２５は、要素１７３に代えて、製品に対して透過性であり、複数の粒子２４５を収容したハウジング２４３の頂端部及び底端部を構成する２つの互いに間隔を置いた壁２４１，２４２を備えた要素２４０が用いられた図１５の器具の変形例を示しており、これら粒子は、例えば製品が要素２４０を通過している間、所与の物質を放出するのに適している。壁２４１，２４２は、本質的に製品に対して透過性であるのがよく、或いはこれら壁は、図示のように製品を通す通路２４４を有してもよい。壁２４１，２４２を、永続的に受け具に固定された煙突状部材２４７に固定するのがよい。変形例として、壁２４１，２４２は、受け具に着脱自在に固定されるのに適した筒体に固定され、かかる筒体と壁２４１，２４２は、これらの間に入っている粒子と一緒になって、互いに互換性のあるカートリッジを構成している。
【０１４１】
作用を製品に及ぼすのに適した粒子を、特に図２５の実施形態の場合と同様、ディスペンサエンドピースに密接して位置した要素内に捕捉状態で保持するのがよいが、かかる要素を例えば製品を取り出す浸漬管の端部のところに配置しても本発明の範囲から逸脱しない。
【０１４２】
一例として、図２６は、受け具２５７に入れられた流体Ｐをポンプ２５１によって小出しするのに適した器具２５０を示している。
【０１４３】
器具２５０は、ポンプ２５１に連結された浸漬管２５２を有している。ポンプは、押しボタン２５３によって作動される。
【０１４４】
管２５２の底端部２５２ａは、粒子２５６を収容した要素２５５を有している。
【０１４５】
図２７は、図１８の器具９８０のフォーム９８１に代えて、例えば所与の物質を流体Ｐ中へ拡散させることにより、或いは磁界又は電界を流体Ｐに及ぼすことにより、作用を製品に及ぼすのに適した複数の粒子２６６を用いた器具２６０を示している。器具２６０は、流体Ｐを受け具２６２から取り出すポンプ２６１を有し、このポンプ２６１は、浸漬管２６３に連結されている。ポンプ２６１は、ハウジング２６５を備えた押しボタン２６４によって作動され、このハウジング２６５は、例えば所与の物質を製品中へ拡散させることにより、又は磁界又は電界を製品にかけるようにすることにより作用を製品に及ぼすのに適した複数の粒子を収容している。必要な場合、押しボタン２６４を受け具２６２から引き抜いてユーザが１組の押しボタンから１つの押しボタン２６４を選択できるようにしてもよく、各ボタンには互いに異なる物質が入っている。
【０１４６】
図２８は、出口オリフィス２７２を上方又は下方に差し向けることができるように軸線Ｘの回りに回転できる傾動式ディスペンサエンドピース２７１を有する器具２７０を示しており、下方への差し向けは、例えば製品を小出ししている間、そして上方へ差し向けるのを意図している場合、例えばエンドピースの端のところに存在する液滴がこれから出るのではなくその中に流れて戻ることができるようにするのに役立つ。複数の粒子２７４を収納した要素２７３を、エンドピース２７１から見て上流側に設けるのがよく、この要素２７３は、例えば受け具の側壁２７６を押し潰したとき、製品を取り出す浸漬管２７５と内部が連通している。
【０１４７】
図２９は、加圧状態の受け具からの小出しのためのポンプ又は弁の中空制御棒２８１に固定されるのに適したカートリッジの形態をしている器具２８０を示している。カートリッジ２８０は、複数の粒子２８３を収容したハウジング２８２を有している。ハウジング２８２は例えば、ベースピース２８４と、例えばフィルムヒンジ２８６によって蓋２８７に連結されたトップピース２８５を互いに組み立てることによって形成される。トップピース２８５は、蓋２８７によって閉鎖されるのに適したディスペンサエンドピース２８８を有するのがよい。必要な場合、粒子２８３が逃げ出ることができないようにするために、グリッド２８９，２９０が、制御棒２８１によって送り出された製品の入口のところ及びディスペンサエンドピース２８８のところに設けられている。
【０１４８】
図３０は、浸漬管３０２が入り込む底部受け具３０１及び受け具３０１の壁と一体成形できる側壁３０４によって側方に構成された頂部チャンバ３０３を有する器具３００を示しており、絞り部３０５が、受け具３０１の内部とチャンバ３０３との間に形成されている。受け具３０１を射出吹込み成形により形成するのがよい。壁３０４の頂部には、キャップ３０６をこれに固定できるようにねじ山を設けるのがよい。複数の粒子３１１の入った要素３１０を絞り部３０５内に固定するのがよい。この要素３１０は、浸漬管３０２に固定される底部エンドピース３１２及び粒子３１１が逃げ出るのを阻止すると共に、受け具３０１から取り出した製品がチャンバ３０３に達することができるようにする通路３１６が設けられた頂部蓋３１５を有するのがよい。ユーザは、例えば図示していないアプリケータを用いて流体Ｐをチャンバ３０３から取り出すことができる。
【０１４９】
アプリケータとしても役立つ要素
作用流体Ｐ又は製品が塗布される表面に及ぼすのに適した物質が、製品アプリケータとして用いられると共に器具の使用中、製品が通過するのに適した要素内に存在していてもよい。
【０１５０】
一例として、図３１は、化粧品の入った受け具３２１及び受け具３２１内に入れられた製品を通過させるのに適していて、製品を塗布することが望ましい体の表面又は顔と接触するのに適した外面３２３を備えた要素３２２を有する器具３２０を示している。要素３２２は、焼結部品又は任意他の多孔質材料、例えば開放気泡を備えたフォーム又はフェルトを有するのがよく、或いはこれによって構成されるのがよい。
【０１５１】
物質、例えば製品との接触時にイオンを放出するのに適した物質をその製造中又はその製造後、例えば図９を参照して説明した方法と類似した方法で含浸により要素３２２内に取り込むのがよい。
【０１５２】
要素３２２は、剛性であってもよく、或いは例えば、受け具３２１に装着されたクロージャキャップによってこれを圧縮してもよく、この場合、かかる要素は、キャップ３２５を取り外すと膨張することができる。要素３２２は、図３２に示すように表面コーティング、例えばフロック加工部３２７を有するのがよいが、このようにするかどうかは任意である。
【０１５３】
製品を、任意の手段で、例えば受け具３２１の壁を押し潰すことにより、要素３２２中へ押し込むのがよい。変形例として、受け具は、円筒形の壁を有してもよく、又ピストン及びピストン駆動ねじ部材を備えたものであってもよい。受け具内に入っている製品の粘度及び要素３２２の気孔率を、製品が毛管現象により要素３２２を通って流れることができるような仕方で選択するのがよい。製品の粘度は又、圧力が受け具３２１の内部に生じた場合にのみ製品が要素を通過することができるように要素３２２の気孔率の関数として選択してもよい。
【０１５４】
必要な場合、要素３２２は、受け具３２１に対して動くことができ、例えば、弾性戻し手段の作用に抗して受け具のハウジング内で変位できる。
【０１５５】
要素内に入れられた物質を製品に接触させ、又は製品に電界及び（又は）磁界を加えることにより所定の作用を製品に及ぼすために製品を通過させる要素を、これを受け具に着脱自在に取り付けることができるようにする支持体上に固定するのがよい。
【０１５６】
一例として、図３３は、要素３３４を支持し、要素３３４を着脱自在に受け具３３１に固定できるようにする支持体３３３を有する器具３３０を示しており、支持体３３３は例えば、受け具３３１のネック３３２に螺着されるのに適した方法で構成されている。かくして、１つの特定の要素３３４を、製品との接触の際に互いに異なる作用を及ぼすのに適した１組の要素から選択することが可能である。
【０１５７】
要素３３４を例えば焼結部品として又はフォームとして形成するのがよい。必要な場合、要素３３４は、製品が要素を通りやすくする１以上の開口部を有してもよい。
【０１５８】
図示の実施形態では、要素３３４は、中央チャネル３３５が穿孔されており、このチャネルは、塗布面３３６、例えば外方に凸状の表面の頂部から外へ開口している。
【０１５９】
図３３は、器具３４０のハウジング３４２内に受け入れられた回転ボール３４１を有する器具３４０を示している。
【０１６０】
一例として、ボール３４１の直径の範囲は、７ｍｍ〜４０ｍｍであるのがよい。
【０１６１】
ボール３４１を焼結部品として形成するのがよく、このボールは、作用を製品に及ぼすのに適した少なくとも１種類の物質を保持するのがよく、かかる物質はボール３４１によって塗布される。
【０１６２】
ボールを図３５に示すように着脱自在なユニットに固定するのがよい。
【０１６３】
アプリケータとして働く要素は、他の形状のものであってもよく、例えば、かかる要素は、図３６に示すように尖った先端部を有していてもよい。この図に示す器具３６０は、全体としてペンの形態をしていて、流体Ｐのリザーバを有すると共に多孔質材料、例えばフェルト又は焼結部品で作られていて、作用を製品、又は製品が塗布される表面に及ぼすのに適した物質を保持した先端部３６２と連通している。
【０１６４】
アプリケータとして働く要素は、図３７に示す要素３７０と同様、中空のものであってもよい。要素３７０は、例えば焼結部品として作られ、その外面はフロック加工部３７２で覆われたものであるのがよい。
【０１６５】
図３８は、流体Ｐを収容した受け具３８４及び受け具の内部に設けられた部品３８３を有する器具３８０を有しており、この部品３８３は受け具３８４を閉鎖する部材としても役立つ取っ手部材３８２に固定された塗布要素３８１を受け入れるハウジングを構成している。一例として、要素３８１は、フォームで作られ、この要素は、作用を流体Ｐに及ぼすのに適した粒子３８７を保持している。部品３８３を、多孔質であって、流体Ｐに対して透過性の材料で作るのがよく、図示のように、この部品は、塗布要素３８１を収容したハウジングに流体Ｐが到達することができるようにする通路３８５を更に有するのがよい。部品３８３を例えば焼結部品として作るのがよく、この要素は、それ自体の中に、製品に作用するのに適した物質を保持するのがよい。
【０１６６】
図３９に示す器具３９０は、上述の器具と類似している。この器具３９０は、流体Ｐの入った受け具３９７を有し、この受け具には雄ねじを有していて、通路３９６が設けられたカップ３９５を支持するネック３９９を備えた部品３９８がスナップ締結されている。流体Ｐを塗布するのに役立つ要素３９３を有するアプリケータ３９１をねじ山付きネック３９９に固定することができる。アプリケータ３９１は、例えば粒子３９３が通過するのを阻止するほど小さなメッシュサイズの熱成形ネットによって構成された製品透過性壁３９２によって保持された複数の粒子３９３、例えばビーズを収容している。カップ３９５は、要素３９３を受け入れることができるハウジングを構成している。
【０１６７】
着脱自在なユニット
所与の作用を流体Ｐに及ぼすのに適した要素も又、例えば、製品で満たされ次に受け具から分離されて例えばハンドバッグに入れて持ち運びできるよう受け具と一時的に流体連通関係になるのに適した着脱自在なユニットに収納してもよい。
【０１６８】
図４０は、ポンプ４０２を備えた受け具４０１を有する受け具４００を示している。受け具４０１は、着脱自在なユニット４１０を受け入れるハウジング４０３を有している。ユニットをハウジング４０３に押し込むとポンプ４０２を作動させることができる。着脱自在なユニット４１０は、流体Ｐとの接触状態で拡散するのに適した塗布要素４１３、例えば焼結部品又はフォーム保持物質の支持体として働くことができる第１の部分４１１と、第１の部分４１１に取外し自在に固定されるのに適した第２の部分４１２とを有するのがよい。第１の部分４１１と第２の部分４１２の協働により、いったん着脱自在なユニット４１０を受け具４０１から分離し、これが使用されていない間、塗布要素４１３は実質的に密閉された容積部内に封入されるようになる。
【０１６９】
塗布要素４１３を収容した容積部を実質的に気密状態に密閉するようポンプ４０２からの製品のためのフラップ（図示せず）を入口４１４の付近で第１の部分４１１に設けるのがよく、この場合かかるフラップは、ポンプ４０２によって送り出されている製品の圧力の作用を受けて開くことができる。
【０１７０】
流体Ｐも又、着脱自在なユニットのハウジング内に自由に配置された粒子、例えばビーズを収容した着脱自在なユニット内に小出しすることができる。
【０１７１】
図４１は、ポンプ４２２によって製品を送り込むことができる器具４２０を示しており、製品は、軟質バッグ４２１から取り出される。
【０１７２】
着脱自在なユニットは、粒子４２４、例えばビーズを収容するハウジングを構成する管状壁４２３を備えたカートリッジ４３０の形態をしている。カートリッジ４３０は、粒子４２４を保持するためにエンドピース４３３の付近に存在するグリッド４３６を有している。
【０１７３】
カートリッジ４３０は、ポンプ４２２を作動させたとき、ハウジング４２５内でのカートリッジの移動を案内する壁４３７を有するのがよい。
【０１７４】
カートリッジ４３０は、粒子４２４の入ったハウジング内に存在する製品が送られるアプリケータ表面４３９を有するのがよい。このアプリケータ表面４３９を、例えば、フォーム又は焼結部品のような製品に対して透過性の多孔質塗布要素４３２によって構成するのがよい。
【０１７５】
粒子４２４は、例えば流体Ｐが粒子４２４の表面上に存在する１種類以上の所定の物質と接触することができるようにすることにより、作用を流体Ｐに及ぼすのに適したものであるのがよい。粒子は着色されたものであるのがよく、壁４２３は、カートリッジの外見に対して効果を生じさせるよう透明であるのがよい。
【０１７６】
塗布要素４３２は場合によっては、製品又は製品が通される表面に作用を及ぼすのに適した物質を保持するのがよい。
【０１７７】
また、流体Ｐを図４２に概略的に示すように、ピストン４４２により底部が閉鎖されたハウジング４４８内に収容するのがよい。ピストンは、流体Ｐを小出ししながら上方に動くことができる。
【０１７８】
図４０の塗布要素４１３に代えて、図４３に示す器具５００の場合と同様、透過性壁、例えばグリッド５０３によって粒子５０１を収容保持したハウジング５０２を用いてもよい。
【０１７９】
グリッド５０３に代えて、例えば図４４の器具５１０の場合と同様、フロック加工塗布要素５０４を用いてもよい。
【０１８０】
塗布要素５０４は、例えば焼結部品又はフォームであってもよい。
【０１８１】
要素の変形実施形態
例えば作用を製品又は製品で処理された表面に及ぼして製品又は上記表面と接触状態で物質を放出するのに適した要素は、図４５に示すように製品のリザーバも又構成するのがよい。
【０１８２】
この図は、流体Ｐのリザーバを構成する塗布要素５３１を備えたアプリケータ５３０を有する器具５２０を示している。要素５３１は、ポット５２１を実質的に気密状態で閉鎖するのに適したクロージャ部材５３７に固定され、このポットは、例えばねじ付きネック５３５を有している。
【０１８３】
要素５３１に入れられた流体Ｐは、使用されていないとき、ポット５２１によって外部環境から隔離される。
【０１８４】
器具５２０を用いるため、ユーザは、ねじを弛めてアプリケータ５３０を外し、要素５３１を処理されるべき表面に接触させる。要素５３１の壁は、流体Ｐに対して透過性であり、流体がこれを通って拡散し、処理されるべき表面に達するようになっている。一例として、要素５３１を、所与の作用を流体Ｐ又は処理済み表面に及ぼすようになった物質を保持する焼結部品として形成することができる。
【０１８５】
必要な場合、ユーザが塗布のために流体Ｐを導入することができるよう開口部５３８を蓋５３７を貫通して形成するのがよく、かかる開口部は場合によっては、流体Ｐをクロージャ部材５３２によって挿入した後閉鎖する。要素５３１の気孔率を、製品が要素を通って流れないような仕方で選択するのがよい。
【０１８６】
アプリケータ５３０を、要素５３１によって構成されたリザーバ内部の圧力を増大させて流体Ｐを要素から押し出すことができるように形成するのがよいが、このようにするかどうかは任意である。なお、流体の粘度及び要素の気孔率は、もし圧力を増大させなければ、流体Ｐが要素を通過しないように選択される。図示しない変形例では、特に、流体Ｐが要素５３１を通過しやすい場合、ポット５２１は、使用されていないとき、流体Ｐが要素５３１から逃げ出るのを阻止するよう要素５３１の形状にぴったりと合ったケースの形態で形成される。
【０１８７】
製品中に拡散するのに適した物質を収容した要素はそれ自体、製品を通過させるのに適したものである必要はなく、又この要素は、図４６に部分的に示す器具５６０の場合と同様、皮膚に塗布される要素の一部をなす必要はない。
【０１８８】
この器具５６０は、ペン５６２を備えた加圧受け具５６１及び塗布要素５６４を備えたアプリケータヘッド５６３を有している。キャップ５６５が、アプリケータヘッド５６３に固定されるのに適している。キャップ５６５は、これがアプリケータヘッド５６３上の定位置に位置したとき、塗布要素５６４の表面と接触するのに適した要素５６６を収容している。
【０１８９】
図示の実施形態では、要素５６６は、キャップ５６５の底部内に固定され、受け具５６１内に収容された製品を塗布する際に用いられる塗布要素の表面５６７と接触する。要素５６６を例えば焼結部品で構成するのがよく、この要素は、キャップ５６５がアプリケータヘッド５６３上の定位置にあるとき、塗布要素５６４内に存在している製品を毛管現象により吸収するのに適したものであるがよい。
【０１９０】
要素５６６は、例えば製品との接触により、又は製品に磁界及び（又は）電界をかけることにより作用を製品に及ぼすのに適した物質を収容するのがよい。
【０１９１】
物質は又、図４７に示すように任意的に器具９７０のクロージャカプセルとして役立つカップの端壁内に固体状態で保持されたものであるのがよい。
【０１９２】
器具９７０は、流体Ｐの入った受け具９７１と、摩擦の作用により受け具９７１のネック９７３に固定されたフローレジューサ９７２と、ネック９７３上に配置されたカップ９７４とを有している。流体Ｐ中で拡散するのに適した物質を収容した要素９７５が、カップの端壁に固定されている。
【０１９３】
使用にあたり、カップ９７４を受け具９７１のネック９７３から取り外し、次に流体Ｐでいっぱいにし、この流体は、例えば図示していないアプリケータによって取り出されることにより後で塗布され、カップ９７４の端壁のそばに存在する物質は、作用を流体Ｐに及ぼすことができる。
【０１９４】
湿気取り部材
作用を製品に及ぼすのに適した物質も又、図４８に示すように湿気取り部材内に入れるのがよい。
【０１９５】
この図では、ロッド５９４を備えたアプリケータ５９０を有する器具５８０が示されており、このロッド５９４は、一端に塗布要素５９１を備え、他端に、取っ手部材としても役立つクロージャキャップ５９２を有している。器具５８０は、取っ手部材５９２と係合可能なネック５８３を備えた受け具５８１及び塗布要素５９１を受け具５８１から取り出しているときに、塗布要素５９１の湿気を取ることができる湿気取り部材５８５を更に有している。
【０１９６】
一例として、湿気取り部材５８５は図示のように、フォームのブロックで構成されており、このフォームを、受け具内に入っている流体Ｐと接触したときに所与の物質を放出するのに適した粒子で充填するのがよい。フォームは又、問題の物質を収容したプラスチック材料を用いて形成してもよい。
【０１９７】
湿気取り部材は、貫通した切れ目６０１が形成されている図４９に示す湿気取り部材の場合と同様、アプリケータが無くても、実質的に閉鎖されるものであるのがよい。
【０１９８】
湿気取り部材は、図５０に示すように、アプリケータが無い場合、開いたままである通路６１２を更に有するのがよい。
【０１９９】
シートの形態をした要素
製品又は製品が塗布される表面に作用を及ぼすのに適した要素は、１枚のシート又は複数枚のシートの組合せの形態でも提供できる。
【０２００】
一例として、図５１は、所与の作用を及ぼすのに適した粒子６２３を含むマトリックス６２２、例えばポリマーマトリックスを有するシート６２０の一例を示しており、このマトリックス６２２は、一方のフェースが防水等であるのがよいシート状裏材料６２１に接合されている。
【０２０１】
シート６２０は、皮膚中へ拡散するのに適した製品を含むのがよく、粒子６２３は、製品との接触時に物質を放出するのに適したものであるのがよい。
【０２０２】
変形例として、シート６２０は、使用時に製品で、例えば、裏材料６２１が多孔質であり、且つマトリックス上に注がれた問題の製品を吸収するのに適している場合、裏材料６２１上に注がれる製品で含浸するよう設計されたものであってもよい。
【０２０３】
図５１の実施形態では、粒子６２３は、マトリックス６２２内に保持されている。
【０２０４】
変形例では、粒子を織布又は不織布内に保持してもよい。
【０２０５】
一例として、図５２は、作用を製品又は製品で処理された表面上に及ぼすのに適した粒子をそれ自体収納保持した繊維６３１から成る不織布のシートを示している。
【０２０６】
粒子を保持したこのシートを切断して図５３に示すようにマスク６４０を形成するのがよい。
【０２０７】
シートを例えば同一構造の別のシートと組み合わせると、図５４に示すように手袋６５０を形成することができる。
【０２０８】
シートを別のシートと組み合わせて図５５に示すようにフード６６０又は図５６に示すようなキャップ６７０を形成してもよい。
【０２０９】
粒子の構造
上述の実施形態では、種々の構造を備えた粒子を用いることが可能であり、かかる粒子は、自由であってもよく、又は結合剤を用いて凝集されたもの、焼結されたもの又は、任意の材料、例えば、プラスチック材料又は気泡質又は中実であるのがよい無機材料中に混ぜ込んだものであってよい。
【０２１０】
特に、複合構造を備えた粒子、即ち、第１の材料で作られると共に第２の材料で作られた覆いによって少なくとも部分的に包囲された少なくとも１つのコアを有する粒子を用いることが可能である。
【０２１１】
被覆粒子６８０の一例が、図５７に示されている。この粒子は、コア６８１及び覆い６８２を有している。図５７に示す実施形態では、粒子は実質的に球形であるが、粒子が、実質的に球形ではない形状を備えることは本発明の範囲から逸脱せず、例えば、これは、図５８に示すように形状が実質的に細長いものであってもよい。この図は、コア７０１と細長い形状の覆い７０２とから成る粒子７００を示している。コア７０１は、繊維、例えば特に植物の繊維、より詳細には、ウッド(木）繊維で構成されたものであるのがよい。
【０２１２】
粒子は又、３以上の層を有する構造、例えば、図５９に示すように３つの層を備えた構造を呈するものであってもよい。この図では、コア６９１、覆い６９３及び中間層６９２を有する粒子６９０が示されている。一例として、中間層６９２は、コア６９１を導電性にして覆い６９３を電気化学的に析出できるようにするのに働くことができる。一例として、コア６９１を導電性を示さない材料、例えば木、ガラス又はセラミックで作り、中間層６９２を、或る程度の導電性をコア６９１に与えるよう金属酸化物、例えばフェライトで構成するのがよく、この導電性は、覆い６９３を電気化学的に析出させることができるのに十分大きなものであり、覆いの材料は例えば、金属、例えば銀又は銅で構成されている。
【０２１３】
図６０に示すように、粒７１２が析出したコアを有する粒子を用いてもよく、かかる粒は、作用を製品又は製品で処理された表面に及ぼすのに適した物質のものである。
【０２１４】
粒７１２を、結合剤７１３、例えば樹脂でコア上に保持するのがよい。
【０２１５】
図６１に示すように、粒子は、製品中へ拡散し、又は何らかの他の方法でこれに作用する物質８２５を含む中空覆い８２６の形態をしていてもよい。覆い８２６は、物質を流体Ｐに接触させることができる少なくとも１つの開口部８２５を有している。覆い８２６は、ガラスの中空微小球であるのがよい。
【０２１６】
要素中への粒子の取り込み
作用を製品又は処理済み表面に及ぼすのに適した粒子を、特に繊維、フォーム、焼結部品、特にセラミック、又はフォーム以外のプラスチック材料で作られた部品内に保持するのがよい。
【０２１７】
必要な場合、これら要素を、特に研磨によって処理するのがよく、かかる要素は、その表面のところに存在する粒子を流体Ｐに直接さらすのに役立つ。
【０２１８】
一例として、第１の材料とは異なる第２の材料の粒、例えば、流体Ｐに接触したときに流体Ｐ中へ拡散することができるよう選択された材料の粒が分散して設けられた材料で繊維又はフォームを作るのがよい。
【０２１９】
一例として、図６２は、熱可塑性材料７３１を押し出すことによって形成され、例えば金属又は金属酸化物の粒３７２が分散して設けられた繊維７３０を示している。
【０２２０】
作用を製品に及ぼすのに適した粒子を含む繊維を例えばマスカラブラシを形成するために用いることができる。
【０２２１】
図６３は、コア７４１が一端に固定されたロッド７４３を有するマスカラブラシを示しており、このコアは、互いに撚り合わされた金属ワイヤの２つの枝部で作られ、かかるコアは、作用を製品又は処理済み表面に及ぼすのに適した粒子で満たされているブリッスル７４２を保持している。
【０２２２】
繊維は、マニキュア液を塗布することができるブラシ７５１を構成するよう使用でき、これは図６４の器具７５０に当てはまる。
【０２２３】
繊維は、図６５に示すように歯ブラシ７６０を構成するよう支持体７６１上に設けてもよい。
【０２２４】
作用を製品又は製品が塗布された表面に及ぼすのに適した粒子を、くし、特に、睫毛又は眉毛用のくしを構成するのに用いられるプラスチック材料中に混ぜ込んでもよい。
【０２２５】
図６６は、１つのかかるくし７７０の一例を示している。このくしは、歯７７２が連結された支持体７７１を有し、これら歯は、上記粒子で満たされる。
【０２２６】
また、作用を製品又は処理済み表面に及ぼすのに適した粒子を図６７に示すようにガラス化材料中又は図６８に示すように互いに焼結され、又は結合剤、例えば樹脂で凝集された粒子８１で作られた多孔質材料のポア８１０内に入れることが可能である。
【０２２７】
作用を製品又は処理済み表面に及ぼすのに適した粒子は、図６９に示すように多孔質材料の成分の一部をなしてもよい。
【０２２８】
要素は、図７０に示すように、作用を製品又は処理済み表面に及ぼすのに適した物質から成る粒子８１３、例えば被覆された粒子及びかかる作用を及ぼさない粒子８１４で作ってもよい。
【０２２９】
この実施形態では、粒子８１３，８１４は、多孔質構造を構成するよう焼結され、又は結合剤、特に樹脂で互いに凝集されている。
【０２３０】
作用を製品又は処理済み表面に及ぼすのに適した粒子は、図７１で分かるように互いに異なる種類の層８１８相互間にサンドイッチされた多孔質層８１６を更に有するのがよい。
【０２３１】
層８１８は、組成が同一であっても、或いは互いに異なっていてもよく、これら層は、流体に対して不活性であるのがよいが、このようにするかどうかは任意であり、又これら層は、多孔質であってもよく、例えばこれら層は、焼結部品で構成されていてもよい。
【０２３２】
層８１６の粒子は、結合剤８２１によって互いに保持され、かかる結合剤は、有機であっても、無機であってもよいが、粒子を別の方法で保持してもよい。
【０２３３】
層８１６は、図７２に示すように、例えば２つの互いに異なる物質を含む２種類の粒子８１９，８２０から成り、しかも互いに異なるサイズのものであるのがよい。
【０２３４】
変形例として、種々の種類の粒子を単一の層内に混ぜ合わせる必要はなく、図７３に示すように層を形成してもよい。
【０２３５】
これにより、例えば製品が要素を通過する際に製品に種々の物質を装填することができる。
【０２３６】
他の形態
作用を製品又は処理済み表面に及ぼすのに適した物質は、被覆された本体の覆い内に存在してもよい。
【０２３７】
一例として、図７４は、本体８３５及び作用を流体Ｐに及ぼす物質の入った覆い８３０を有する要素９００を示している。この物質は、図７５に示すように例えば結合剤８３６中に分散して設けられた粒子８３１の形態をしているのがよい。結合剤は、粒子８３１中の物質を流体Ｐ中へ融解させることができるよう流体Ｐの成分のうちの少なくとも１つに対して透過性であるのがよい。要素９００に、粒子８３１を流体Ｐに直接さらす目的で研磨処理を施すのがよい。
【０２３８】
層８３０は、図７６に示すように、それ自体物質を含む第１の粒子８３１及び第２の物質を含む他の粒子８３２を有するのがよい。
【０２３９】
層８３０は、図７７に示すように、被覆された粒子８３３又は図５７〜図６１を参照して上述したように互いに異なる粒子を有してもよい。
【０２４０】
要素９００は、本体及び本体を包囲した覆いを有するのがよく、覆いは、製品又は処理済み表面に対して活性であるが、要素を同一材料の単一部品として形成してもよく、この材料は、この中に埋め込まれた粒子、結合剤及び作用を流体に及ぼすのに適した粒子を有する。
【０２４１】
要素９００は、被覆された本体を有していても、或いは有していなくても、何れにせよ要素９００は、形状が例えば球形であるのがよいが、要素は、種々の他の形状、例えば図７８〜図９２に示す形状のうちの任意の１つを有してもよい。
【０２４２】
要素の最も大きな寸法は、図７４及び図７８〜図９２の実施形態に示すように、例えば７ｍｍ〜４０ｍｍの範囲にある。
【０２４３】
要素は、図７８に示すようにリングの形態、図７９に示すようにシャトルの形態、図８０に示すように管の形態、図８１に示すように多面体の形態、図８２及び図８３に示すようにピロー又は平行六面体の形態をしているのがよい。
【０２４４】
少なくとも１つのキャビティを有する要素
要素９００は、裸眼に見え、製品とのその交換表面積を増大させるのに役立つあらゆる種類のキャビティを有することができる。
【０２４５】
一例として、要素９００は、図８２及び図８３に示すように少なくとも１つの穿孔が実施されたキャビティを有するのがよい。キャビティ９０１は、例えばフィン、図８４に示すように中央コア９０３によって結合されたフィン９０２、例えばディスク状のフィン相互間に延びる環状溝として形成されたものであってもよい。
【０２４６】
図８５及び図８６はそれぞれ、球形包囲体を備えた本体９００の斜視図及び赤道断面図であり、キャビティ９０１は、経線に平行に延びる溝によって形成されている。
【０２４７】
要素９００がキャビティを１つだけ有することは本発明の範囲から逸脱しない。図８７は、同様に球形包囲体表面を備えた要素９００を示しており、キャビティ９０１は各々、半球形の約１／４を占め、各々がディスクの１／４を形成する仕切り９０３によって分離されている。
【０２４８】
要素９００は、例えば図８８の半軸方向断面に示すように直径に沿って延びる貫通穿孔９０４を有するのがよい。
【０２４９】
要素９００は、図８９に示すように、開口部９０６、例えば単一の開口部を介して外部と連通した内部キャビティ９０５を備えた中空本体の形態をしていてもよい。
【０２５０】
要素が球形以外の形状の包囲体を有することは本発明の範囲から逸脱しない。
【０２５１】
一例として、図９０は、中央穴９０８及び環状溝９０９を備え、これらの間にフィン９１０が形成された形状が全体として環状である要素９００を示している。
【０２５２】
要素９００は、図９１及び図９２に示すように全体として多面体の形態をしていてもよい。図９１の要素９００は、リブ９１２相互間に位置した穴９１１及びスペースを有するキャビティを備えた実質的に平行六面体の形態をしている。
【０２５３】
図９２に断面で示す要素９００は、矩形断面の貫通穴９１３及び互いの間にキャビティ９１５を構成するフィン９１４を有している。
【０２５４】
要素９００、特に図８４に示す要素を形成するには、例えば、プラスチック材料を成形し、作用を流体Ｐに及ぼすようになった粒子をプラスチック材料の中に混ぜ込み、その後本体を形成するのがよい。一例として、プラスチック材料は、ポリプロピレン（ＰＰ）、ポリスチレン（ＰＳ）、ＰＥ、ＰＡ、特にＰＡ６、ＰＥＴ、ポリオキシメチレン（ＰＯＭ）、メタクリレート、ユリアホルムアルデヒド、メラミン、シアノアクリレート、ポリアクリレート（ただし、これらには限定されない）から選択されたものであるのがよい。
【０２５５】
一例として、要素は、上記粒子を５重量％〜９０重量％、特に、１０重量％〜７５重量％、例えば５０重量％又は６０重量％以上含むのがよい。プラスチック材料に混ぜ込まれる粒子のサイズは、例えば０．１μｍ〜２００μｍ、例えば、１μｍ〜２０μｍ、例えば約１０μｍであるのがよい。
【０２５６】
要素９００の形状がどのようなものであろうと、キャビティは好ましくは、要素を製造中容易に脱型でき、例えば、２つの部品だけから成る金型を用いることができるように配置される。
【０２５７】
成形後、要素に、その表面を腐食させて、粒子が直接流体Ｐに接触できるようにする処理を施すのがよい。一例として、要素９００を研磨剤、例えば砂と一緒にドラム内へ入れるのがよく、ドラムを十分な期間にわたって回転させるのがよい。
【０２５８】
要素９００は、セラミック製であってもよい。
【０２５９】
作用を流体又は処理済み表面に及ぼすのに適した物質を、ポリマー又は無機マトリックス中に均一に分散した例えば粒子の形態で要素９００内に固体状態で保持するのがよく、本体の表面のところに位置した粒子の一部は、少なくとも部分的に流体Ｐと直接接触している。
【０２６０】
要素９００を例えばスターラ（stirrer）として用いてもよい。
【０２６１】
一例として、図９３は、流体Ｐの入った受け具９２１、流体Ｐ中に浸漬されたこの中で自由に動くことができ、流体Ｐを均質化する必要がある場合には何時でも受け具９２１を振ることにより使用するのに適した要素９００を有する器具９２０を示している。受け具９２１は、内側に密封リップ９２４を有するフローレジューサ９２３を備えたネック９２２と、雄ねじを備えたスカート９２５を有し、この雄ねじは、クロージャキャップ９２６をスカート９２５に固定できるようにする。
【０２６２】
この器具は、要素９００を１つしか有する必要はないが、複数の要素を有してもよい。図９４は、異なる寸法、又は異なる形状の複数の要素９００を用いる可能性を示している。要素９００は、互いに異なる結合剤及び（又は）互いに異なる粒子を用いてもよい。
【０２６３】
要素９００を流体Ｐ中に永続的に浸漬させる必要はないが、塗布の時点又は製品を小出ししたときにのみこれに接触するのがよい。
【０２６４】
一例として、図９５は、受け具９３１及び受け具９３１に例えばスナップ締結されたフローレジューサ９３２を有する器具９３０を示しており、フローレジューサ９３２は、要素９００を収容するハウジング９３３を構成している。
【０２６５】
図９５は、器具９３０が頭を上にして水平で平らな表面上に立っている間、要素９００を流体Ｐのレベルの上に位置させることができることを示している。
【０２６６】
要素９００は、ハウジング９３３内で自由に回転できるのがよいが、このようにするかどうかは任意である。
【０２６７】
受け具９３１をクロージャキャップ９３５で閉鎖することができ、このクロージャキャップは、ハウジング９３３の開口部と協働する中央密封スカート９３６を有している。
【０２６８】
受け具９３１をひっくり返して流体Ｐを小出しすると、流体は、ハウジング９３３の縁部と要素９００の表面との間に形成された通路を通って流れ、この通路内で、流体に、要素９００の表面のところに存在する粒子によって放出された１以上の物質を含ませることができるようになる。
【０２６９】
要素９００を、受け具９３１が閉鎖されると、スカート９３６によってその受座に当接した状態で保持するのがよく、かくして、器具が使用されていないとき、製品をハウジング９３３内へ導入させるオリフィス９３７を閉鎖することができる。
【０２７０】
図９５の実施形態では、要素９００は、ハウジング９３３の球形部分の互いに協働する形状部によって保持されるが、要素９００を別個の継手によってハウジング内に保持することは本発明の範囲から逸脱しない。
【０２７１】
図９６は、受け具９４１を有する器具９４０を示しており、この受け具には、要素９００を収容することができるハウジング９４３を構成する中間部品９４２が固定されている。要素は、受け具９４１に固定されたクロージャカプセル９４６によってハウジング９４３内に保持されている。カプセル９４６は、例えばスナップ締結により受け具に固定されたベース部分９４５と回動自在に設けられた蓋９４８を互いに連結するフィルムヒンジ９４７を有するのがよい。
【０２７２】
粒子の性質
上述の実施形態のうちの少なくとも幾つかで用いられる粒子は、例えば防腐剤、回復剤、特にヒーリング（癒しをもたらす）性又は血液の循環を促進する性質を上記製品に与える目的で、拡散するのに適した物質を含み、又はこれによって構成されたものであるのがよい。
【０２７３】
銀イオンの放出は、例えば製品を内容物としての防腐剤を減少させ、或いは、防腐剤を使用する必要の無いようにするのに役立つ場合がある。
【０２７４】
物質は、例えば、金属及び金属合金、クロム、アルミニウム、銀、銅、マンガン、青銅、チタン、コバルト、バリウム、金属塩、金属酸化物、特に酸化鉄、フェライト、シリケート、スルフェート（サルフェート）、カーボネート、特に、炭酸カルシウム、アレン石、非鉄系化合物、特に硫黄、マグネシウム、カルシウム、ホウ素、カリウム、炭素、オリゴエレメント（oligoelements）、無機塩及び金属塩、特に岩塩、海塩、粘土、藻類、プランクトン及びこれらからの抽出物、根菜類、甘草、生姜、蝋、オイル、殺菌剤、ビタミン類、タンパク質、酸、ホルモン、コラーゲン、明礬、絹、大麻、グルコースから選択されたものであるのがよい。
【０２７５】
一例として、物質は、図５７〜図５９に示すように粒子の覆い６８０，６９０，７００，８２６を構成するのがよい。この物質は、特に覆いが流体Ｐ及びこの物質に対して完全に不透過性でなければコアを形成してもよい。粒子のコアを構成するため、例えば、物質を、シリカ、特にコロイドシリカ、砂、アルミナ、ステアタイト、砂岩、酸化チタン、酸化ジルコニウム、ガラス、セラミック、コルク又はウッド、特に、繊維又は粉末形態のもの、溶岩、シリケート、方鉛鉱、酸化物、大麻、亜麻、絹、粘土、磁器、コーン（とうもろこし）、小麦又は米の繊維、マイカ、ＰＥ、ＰＥＴ、ＰＵ、ＰＶＣ、ＰＡ、ＥＶＡ、ビニル、ユリアホルムアルデヒド、エポキシ、ポリエステル、エラストマー、シアノアクリレートから選択された物質を用いることが可能である。
【０２７６】
また、上記物質一覧中の材料を用いて上記物質を含む粒子を有する要素、例えば図７８〜図９２に示す要素のうちの１つ９００を構成できるようにする結合剤を形成することも可能である。
【０２７７】
一例として、例えば図８４に示す形状を持つ要素９００は、３０重量％のポリアミド６、６９．５重量％のアルミナ粉末及び０．５重量％の銀及び（又は）銅塩を有する材料を射出成形することにより形成できる。この要素は、銀又は銅のイオンを流体Ｐ中に拡散させることにより抗菌性を備えるのがよく、かくして防腐剤の使用量を減少させることができる。
【０２７８】
要素は又、例えば６０重量％の粘土粉末、１０重量％フェライト粉末及び３０重量％のポリプロピレンを含んだ状態で形成できる。要素を、更に磁性を備えるよう磁化するのがよい。別の実施形態では、要素は、例えば１重量％〜８０重量％のアルミナ粉末、特に１５重量％〜７０重量％のアルミナ粉末を有し、更に水分吸収剤を含むのがよい。
【０２７９】
一例として、この要素は、５重量％〜８０重量％の銀及びアルミナ粉末混合物、又は１０重量％〜７５重量％の銅アルミナ粉末混合物を更に含むのがよい。
【０２８０】
使用される粒子は、製品と接触しなくてもよく、単に遠くから特に磁界のような場を製品又は製品で処理された表面に及ぼすだけでよい。
【０２８１】
器具、例えば図４２、図４３、図９５又は図９６に記載した器具のうちの１つをユーザがボールのように見える要素を見ることができるよう構成することは本発明の範囲から逸脱しない。特に、器具は、少なくとも部分的に透明又は半透明の分配部材を有するのがよく、ユーザはこれを通して要素を見ることができる。器具の見栄えの良さを向上させることができる。
【０２８２】
さらに、ユーザは、器具が少なくとも部分的に透明であることにより、流体の分配中、要素と要素を受け入れているハウジングの壁との間の流体の循環状態を見ることができる。
【０２８３】
本発明の例示の実施形態では、器具は、２つのカバー、即ち、出口オリフィスを開いたり閉じたりすることができる第１のカバーと要素への接近を可能にする第２のカバーとから成る分配部材を有するのがよい。
【０２８４】
要素への接近性により、例えば、これを例えばその寿命の終わりに交換することができ、又は、これを異なる特性を持つ別の要素で置き換えることができる。
【０２８５】
一例として、図９７は、図１９の器具に類似している器具９９５の一部を示しており、かかる器具では、要素９９４が、クロージャカプセル９８３の内側ネック９８２の壁によって構成されたハウジング内に、このネックに固定されない状態で収納されている。この要素は、ネック９８２の下側肩９９７及びクロージャカプセル９８３の底部９９８のフラップ９９６によって保持され、このクロージャカプセルは、クロージャ蓋９９９を更に有している。
【０２８６】
フラップ９９６は例えば、外見上見えないフィルムヒンジによってカプセルの残部に連接された回動フラップである。要素を器具内に挿入するため、ユーザはフラップ９９６を回動させる。使用中、流体は、要素９９４と接触した状態で流れ、フラップ９９６の開口部を通って出る。この開口部を、器具が使用されていないとき、クロージャ蓋９９９によって閉鎖するのがよい。フラップ９９６に代えてカプセルから完全に分離できる部品を用いてもよい。
【０２８７】
要素は、流体と永続的な連通状態にあってもよく、或いはそうでなくてもよい。器具は、例えば流体を収容した受け具と要素との間の流体連通関係を断ち、又は確立することができる弁部材を有するのがよく、かかる弁部材は、例えば、回転運動又は並進運動によりその閉鎖位置から開放位置に動く。したがって、流体を、最初の使用時まで、これらを接触させないで要素と一緒に保管することができる。
【０２８８】
一例として、図９８は、受け具のネック１０００に固定可能な底部１００３及び閉鎖位置と開放位置との間で底部１００３に対して回転するよう構成された頂部１００４を有する器具１０００を示している。
【０２８９】
底部１００３は、例えばネック１００２に螺着された組立てスカート１００５及びネック１００２の内面に実質的に漏止め状態で当接した密封リップ１００６を有している。
【０２９０】
底部１００３は、材料ブリッジによって互いに連結された２つの同心状の管状壁１０１０，１０１１を有し、かかる材料ブリッジは、壁１０１０，１０１１相互間に開口部１０１３を構成し、内側壁１０１０は、横方向壁１０１４によって中間高さのところで実質的に閉鎖され、横方向壁１０１４の上に側方開口部１０１５を有している。
【０２９１】
頂部は、壁１０１０，１０１１相互間に延びる管状壁１０１６を有している。管状壁１０１６は、頂部１００４を回転させてその小出し位置にしたとき、実質的に側方開口部１０１５と整列可能な側方開口部１０１７を有している。すると、流体は、壁１０１０，１０１１相互間を流れ、側方開口部１０１５，１０１７を通って流れ、そして横方向壁１０１４の上方で壁１０１６の内部へ流入し、ついには要素１０２５に達することができるようになり、この要素１０２５は、例えば頂部１００４のハウジング１０２０内に設けられている。
【０２９２】
頂部１００４がその閉鎖位置にあるとき、管状壁１０１６は、側方開口部１０１５を閉鎖し、それにより受け具を閉鎖する。
【０２９３】
要素は、例示の実施形態では焼結部品又はフォームによって表されているが、他の形態、例えば上述した形態のうちの１つの形態のものであってもよい。
【０２９４】
上述した実施形態のうちの少なくとも幾つかにより、防腐性、浄化性、クレンジング性又は循環促進性（これには限定されない）を利用することができ、又天然物質又は天然由来の物質、例えば金属又は酸化物を、これらを化粧品又はケア製品中へ拡散させることにより利用できることは理解されよう。製品中へ拡散する物質の量は、特に製品中でのかかる物質の溶解性の関数として少ない場合又は多い場合がある。かかる物質は、微量成分の状態で製品中へ拡散することができる。
【０２９５】
上述の本発明の実施形態のうちの少なくとも幾つかを用いて、所与の性質を流体Ｐに与えることができ、この場合、流体Ｐの最初の調合の際、かかる性質を流体Ｐに与える特定の物質を混ぜ込む必要はない。
【０２９６】
本発明により、例えば製品は、長期間にわたる流体Ｐの保存と両立せず、或いは流体Ｐに混ぜ込まれる追加の成分を更に必要とする物質を含むことができる。
【０２９７】
物質は、化学反応又は生物学的反応が流体Ｐで起こることができるようにする触媒的特性又は酵素的特性を更に有するのがよい。
【０２９８】
流体Ｐは、多種多様な性質及び性状を備えることができる。
【０２９９】
特に、流体Ｐは、液体であってもよく、粉末であってもよく、ゲルであってもよく又はクリームであってもよい。流体Ｐは特に、水溶液、アルコール溶液、オイル又はエマルションによって構成することができる。流体Ｐは又、液体を、この液体と接触したときに分散するのに適した本体と接触させた結果として得られるものであってもよい。
【０３００】
本発明は当然のことながら、上述の実施形態には限定されず、特許請求の範囲は、他の実施形態、特に図示の種々の実施形態の特徴のうち全て又は幾つかを組み合わせた実施形態を含むものである。
【０３０１】
上記説明及び特許請求の範囲全体にわたり「〜から成る」という用語は、もし別段の指定が無ければ、「少なくとも１つの〜から成る」と同義であると理解されるべきである。
【図面の簡単な説明】
【０３０２】
【図１】器具の一実施形態の概略軸方向断面図である。
【図２】器具の別の実施形態の概略切除斜視図である。
【図３】器具の別の実施形態の概略軸方向断面図である。
【図４】切離し状態で図３のアプリケータの変形実施形態を示す図である。
【図５】器具の別の実施形態の概略斜視図である。
【図６】図５のＶＩ−ＶＩ線矢視断面図である。
【図７】器具の別の実施形態の概略軸方向断面図である。
【図８】器具の別の実施形態を示す図である。
【図９】図３の器具の他の変形例を示す図である。
【図１０】図３の器具の他の変形例を示す図である。
【図１１】器具の別の実施形態の概略部分軸方向断面図である。
【図１２】切離し状態で図１１の製品透過性要素の変形実施形態を示す図である。
【図１３】器具の別の実施形態の概略部分軸方向断面図である。
【図１４】別の変形実施形態の概略軸方向断面図である。
【図１５】他の実施形態の略図である。
【図１６】他の実施形態の略図である。
【図１７】他の実施形態の略図である。
【図１８】他の実施形態の略図である。
【図１９】他の実施形態の略図である。
【図２０】他の実施形態の略図である。
【図２１】他の実施形態の略図である。
【図２２】他の実施形態の略図である。
【図２３】他の実施形態の略図である。
【図２４】切離し状態で示す製品透過性要素の別の実施形態の略図である。
【図２５】他の実施形態の略図である。
【図２６】他の実施形態の略図である。
【図２７】他の実施形態の略図である。
【図２８】他の実施形態の略図である。
【図２９】他の実施形態の略図である。
【図３０】他の実施形態の略図である。
【図３１】他の実施形態の略図である。
【図３２】図３１の塗布要素の表面にフロック加工が施されていることを示す図である。
【図３３】他の実施形態を示す略図である。
【図３４】他の実施形態を示す略図である。
【図３５】他の実施形態を示す略図である。
【図３６】他の実施形態を示す略図である。
【図３７】焼結し、フロック加工を施すことにより形成された塗布要素を切離し状態で示す図である。
【図３８】他の実施形態の略図である。
【図３９】他の実施形態の略図である。
【図４０】他の実施形態の略図である。
【図４１】他の実施形態の略図である。
【図４２】他の実施形態の略図である。
【図４３】他の実施形態の略図である。
【図４４】他の実施形態の略図である。
【図４５】他の実施形態の略図である。
【図４６】他の実施形態の略図である。
【図４７】他の実施形態の略図である。
【図４８】他の実施形態の略図である。
【図４９】切離し状態で湿気取り部材の変形実施形態を示す図である。
【図５０】切離し状態で湿気取り部材の変形実施形態を示す図である。
【図５１】物質を放出すると共に（或いは）電界及び（又は）磁界を発生させるのに適した要素の概略部分図であり、要素が、シートの形態であることを示す図である。
【図５２】物質を放出すると共に（或いは）電界及び（又は）磁界を発生させるのに適した要素の概略部分図であり、要素が、シートの形態であることを示す図である。
【図５３】図５１又は図５２に示す種類の少なくとも１つのシートを備えて形成されるのに適した器具の一実施形態を示す図である。
【図５４】図５１又は図５２に示す種類の少なくとも１つのシートを備えて形成されるのに適した器具の別の実施形態を示す図である。
【図５５】図５１又は図５２に示す種類の少なくとも１つのシートを備えて形成されるのに適した器具の別の実施形態を示す図である。
【図５６】図５１又は図５２に示す種類の少なくとも１つのシートを備えて形成されるのに適した器具の別の実施形態を示す図である。
【図５７】粒子の一例を示す略図である。
【図５８】粒子の別の例を示す略図である。
【図５９】粒子の別の例を示す略図である。
【図６０】粒子の別の例を示す略図である。
【図６１】粒子の別の例を示す略図である。
【図６２】物質を装填した繊維を示す図である。
【図６３】物質を装填した繊維を含む器具の実施形態を示す図である。
【図６４】物質を装填した繊維を含む器具の実施形態を示す図である。
【図６５】物質を装填した繊維を含む器具の実施形態を示す図である。
【図６６】睫毛又は眉毛用のくしの一例を示す図である。
【図６７】物質を収容することができる構造体の一例を示す略図である。
【図６８】物質を収容することができる構造体の別の例を示す略図である。
【図６９】物質を収容することができる構造体の別の例を示す略図である。
【図７０】物質を収容することができる構造体の別の例を示す略図である。
【図７１】物質を収容することができる構造体の別の例を示す略図である。
【図７２】物質を収容することができる構造体の別の例を示す略図である。
【図７３】物質を収容することができる構造体の別の例を示す略図である。
【図７４】被覆状態の物体を示す図である。
【図７５】被覆構造体の一例を示す略図である。
【図７６】被覆構造体の別の例を示す略図である。
【図７７】被覆構造体の別の例を示す略図である。
【図７８】要素の一実施形態を示す略図である。
【図７９】要素の別の実施形態を示す略図である。
【図８０】要素の別の実施形態を示す略図である。
【図８１】要素の別の実施形態を示す略図である。
【図８２】要素の別の実施形態を示す略図である。
【図８３】要素の別の実施形態を示す略図である。
【図８４】要素の別の実施形態を示す略図である。
【図８５】要素の別の実施形態を示す略図である。
【図８６】要素の別の実施形態を示す略図である。
【図８７】要素の別の実施形態を示す略図である。
【図８８】要素の別の実施形態を示す略図である。
【図８９】要素の別の実施形態を示す略図である。
【図９０】要素の別の実施形態を示す略図である。
【図９１】要素の別の実施形態を示す略図である。
【図９２】要素の別の実施形態を示す略図である。
【図９３】各々が本発明の要素を有する包装及び（又は）塗布器具の概略部分図である。
【図９４】各々が本発明の要素を有する包装及び（又は）塗布器具の概略部分図である。
【図９５】各々が本発明の要素を有する包装及び（又は）塗布器具の概略部分図である。
【図９６】各々が本発明の要素を有する包装及び（又は）塗布器具の概略部分図である。
【図９７】各々が本発明の要素を有する包装及び（又は）塗布器具の概略部分図である。
【図９８】各々が本発明の要素を有する包装及び（又は）塗布器具の概略部分図である。
【符号の説明】
【０３０３】
１０  器具
１１  受け具又は容器
１２  蓋
２０  要素
２１  壁
２２  粒子
Ｐ  流体
【図１】
2006341121.tif 000003
【図２】
2006341121.tif 000004
【図３】
2006341121.tif 000005
【図４】
2006341121.tif 000006
【図５】
2006341121.tif 000007
【図６】
2006341121.tif 000008
【図７】
2006341121.tif 000009
【図８】
2006341121.tif 000010
【図９】
2006341121.tif 000011
【図１０】
2006341121.tif 000012
【図１１】
2006341121.tif 000013
【図１２】
2006341121.tif 000014
【図１３】
2006341121.tif 000015
【図１４】
2006341121.tif 000016
【図１５】
2006341121.tif 000017
【図１６】
2006341121.tif 000018
【図１７】
2006341121.tif 000019
【図１８】
2006341121.tif 000020
【図１９】
2006341121.tif 000021
【図２０】
2006341121.tif 000022
【図２１】
2006341121.tif 000023
【図２２】
2006341121.tif 000024
【図２３】
2006341121.tif 000025
【図２４】
2006341121.tif 000026
【図２５】
2006341121.tif 000027
【図２６】
2006341121.tif 000028
【図２７】
2006341121.tif 000029
【図２８】
2006341121.tif 000030
【図２９】
2006341121.tif 000031
【図３０】
2006341121.tif 000032
【図３１】
2006341121.tif 000033
【図３２】
2006341121.tif 000034
【図３３】
2006341121.tif 000035
【図３４】
2006341121.tif 000036
【図３５】
2006341121.tif 000037
【図３６】
2006341121.tif 000038
【図３７】
2006341121.tif 000039
【図３８】
2006341121.tif 000040
【図３９】
2006341121.tif 000041
【図４０】
2006341121.tif 000042
【図４１】
2006341121.tif 000043
【図４２】
2006341121.tif 000044
【図４３】
2006341121.tif 000045
【図４４】
2006341121.tif 000046
【図４５】
2006341121.tif 000047
【図４６】
2006341121.tif 000048
【図４７】
2006341121.tif 000049
【図４８】
2006341121.tif 000050
【図４９】
2006341121.tif 000051
【図５０】
2006341121.tif 000052
【図５１】
2006341121.tif 000053
【図５２】
2006341121.tif 000054
【図５３】
2006341121.tif 000055
【図５４】
2006341121.tif 000056
【図５５】
2006341121.tif 000057
【図５６】
2006341121.tif 000058
【図５７】
2006341121.tif 000059
【図５８】
2006341121.tif 000060
【図５９】
2006341121.tif 000061
【図６０】
2006341121.tif 000062
【図６１】
2006341121.tif 000063
【図６２】
2006341121.tif 000064
【図６３】
2006341121.tif 000065
【図６４】
2006341121.tif 000066
【図６５】
2006341121.tif 000067
【図６６】
2006341121.tif 000068
【図６７】
2006341121.tif 000069
【図６８】
2006341121.tif 000070
【図６９】
2006341121.tif 000071
【図７０】
2006341121.tif 000072
【図７１】
2006341121.tif 000073
【図７２】
2006341121.tif 000074
【図７３】
2006341121.tif 000075
【図７４】
2006341121.tif 000076
【図７５】
2006341121.tif 000077
【図７６】
2006341121.tif 000078
【図７７】
2006341121.tif 000079
【図７８】
2006341121.tif 000080
【図７９】
2006341121.tif 000081
【図８０】
2006341121.tif 000082
【図８１】
2006341121.tif 000083
【図８２】
2006341121.tif 000084
【図８３】
2006341121.tif 000085
【図８４】
2006341121.tif 000086
【図８５】
2006341121.tif 000087
【図８６】
2006341121.tif 000088
【図８７】
2006341121.tif 000089
【図８８】
2006341121.tif 000090
【図８９】
2006341121.tif 000091
【図９０】
2006341121.tif 000092
【図９１】
2006341121.tif 000093
【図９２】
2006341121.tif 000094
【図９３】
2006341121.tif 000095
【図９４】
2006341121.tif 000096
【図９５】
2006341121.tif 000097
【図９６】
2006341121.tif 000098
【図９７】
2006341121.tif 000099
【図９８】
2006341121.tif 000100
【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
流体（Ｐ）、特に化粧品を包装すると共に／或いは塗布する器具であって、少なくとも１種類の物質を収容すると共に／或いは電解及び／又は磁界を発生させるのに適した少なくとも１つの要素を有し、前記要素は、流体（Ｐ）及び／又は流体を受け入れる表面が物質に接触するようにすることができると共に／或いは前記流体及び／又は前記表面が前記要素によって得られた電界及び磁界のうちの少なくとも一方に接触できるようにするよう構成されている、ことを特徴とする器具。
【請求項２】
前記要素は、前記物質を収容した細孔（８１０）を備えた多孔質材料から成る、ことを特徴とする請求項１記載の器具。
【請求項３】
前記要素は、焼結部品、セラミック、フェルト、スポンジ、フォーム、織布及び不織布のうちの少なくとも１つから成る、ことを特徴とする請求項１又は２記載の器具。
【請求項４】
前記要素は、前記物質を含有したガラス化材料を有している、ことを特徴とする請求項１〜３のうちの何れか一に記載の器具。
【請求項５】
前記要素は、粒子（２２；４６；５２；６５；７３；２４５；２５６；２６６；２７４；２８３；３１１；３４１；３９３；４２４；５０１；６３２；６８０；６９０；７００；７１０；７３２；８０２）を有し、該粒子（２２；４６；５２；６５；７３；２４５；２５６；２６６；２７４；２８３；３１１；３４１；３９３；４２４；５０１；６３２；６８０；６９０；７００；７１０；７３２；８０２）は、被覆状態の粒子であり、各粒子は、第１の材料で作られたコア及び第１の材料とは異なる第２の材料で作られた覆いから成り、前記覆いは、コアの周りに延びており、
前記物質は、コア中に存在しており、
また、コア材料は、磁界及び／又は電界を流体（Ｐ）に及ぼすよう選択されている、ことを特徴とする請求項１〜４のうちの何れか一に記載の器具。
【請求項６】
前記要素は、前記粒子を含有した少なくとも１つの多孔質層（８１６）を有し、前記層は、流体（Ｐ）に対して透過性である、ことを特徴とする請求項１〜５のうちの何れか一に記載の器具。
【請求項７】
前記少なくとも１つの多孔質層の前記粒子は、結合剤（８２１）によって凝集されている、ことを特徴とする請求項１〜６のうちの何れか一に記載の器具。
【請求項８】
前記物質は、触媒反応又は酵素反応を生じさせ、又は流体（Ｐ）の組成を変えるのに適している、ことを特徴とする請求項１〜７のうちの何れか一に記載の器具。
【請求項９】
前記物質は、流体が小出しされている間、その作用を発揮する、ことを特徴とする請求項１〜８のうちの何れか一に記載の器具。
【請求項１０】
前記要素（７４０；７６０；７５０；７７０）は、以下の一覧、即ちマスカラブラシ、歯ブラシ、髪の毛用のくし、製品を睫毛又は眉毛に塗布するのに用いられるくし、製品を爪又は唇に塗布するのに用いられるブラシ、パウダパフ、フォームから選択されている、ことを特徴とする請求項１〜９のうちの何れか一に記載の器具。
【請求項１１】
前記流体は、受け具内に入れられ、前記要素（３３；９３；１１４；１２０；１３５；１６０；１７３；１８５；１９１；２０４；２０９；２４１；２４２；３２２；３３４；３６２；３７０；３８３；３９５；４１３；５６４；９８１）は、器具を用いるとき、受け具から取った流体が要素を通過するようにするよう構成されている、ことを特徴とする請求項１〜１０のうちの何れか一に記載の器具。
【請求項１２】
前記流体を収容した受け具と要素との連通を断ち又は確立できるようにする弁部材を有している、ことを特徴とする請求項１〜１０のうちの何れか一に記載の器具。